(57)【要約】【課題】安定して装着可能な頭部装着型画像表示装置を提供すること。【解決手段】ユーザーの頭部に装着される頭部装着型画像表示装置であって、画像表示部と、左側の側頭部に当接される左側当接部と、右側の側頭部に当接される右側当接部と、画像表示部に設けられ、左側当接部を支持する左側支持部と、画像表示部に設けられ、右側当接部を支持する右側支持部と、を備え、左側及び右側支持部のうち少なくとも一方の支持部は、左側及び右側当接部のうち当該少なくとも一方の支持部が支持する当接部である対象当接部の全体を、第１位置から、当該第１位置より頭部に対して左右方向において離間した第２位置に移動可能に支持し、対象当接部の全体が第１位置に位置する場合と第２位置に位置する場合とで、左側当接部と右側当接部との間の左右方向における寸法は、異なる。【選択図】図３
2018033120.tif 000002
【特許請求の範囲】
【請求項１】
ユーザーの頭部に装着され、前記ユーザーに観察可能に画像を表示する頭部装着型画像表示装置であって、
前記画像を表示する画像表示部と、
前記頭部における左側の側頭部に当接される左側当接部と、
前記頭部における右側の側頭部に当接される右側当接部と、
前記画像表示部に設けられ、前記左側当接部を支持する左側支持部と、
前記画像表示部に設けられ、前記右側当接部を支持する右側支持部と、を備え、
前記左側支持部及び前記右側支持部のうち少なくとも一方の支持部は、前記左側当接部及び前記右側当接部のうち前記少なくとも一方の支持部が支持する当接部である対象当接部の全体を、第１位置から、前記第１位置より前記頭部に対して左右方向において離間した第２位置に移動可能に支持し、
前記対象当接部の全体が前記第１位置に位置する場合と、前記対象当接部の全体が前記第２位置に位置する場合とで、前記左側当接部と前記右側当接部との間の前記左右方向における寸法は、異なることを特徴とする頭部装着型画像表示装置。
【請求項２】
請求項１に記載の頭部装着型画像表示装置において、
前記少なくとも一方の支持部に、上下方向に沿う第１回動軸を中心として回動可能に支持され、前記対象当接部と接続される第１リンクと、
前記少なくとも一方の支持部において前記第１リンクとは前後方向において異なる位置に、上下方向に沿う第２回動軸を中心として回動可能に支持されて、前記対象当接部と接続される第２リンクと、を有することを特徴とする頭部装着型画像表示装置。
【請求項３】
請求項２に記載の頭部装着型画像表示装置において、
前記第１リンク及び前記第２リンクのうち一方のリンクである減衰対象リンクと係合し、前記減衰対象リンクの回動力を減衰させる減衰機構を有することを特徴とする頭部装着型画像表示装置。
【請求項４】
請求項３に記載の頭部装着型画像表示装置において、
前記対象当接部は、
前記減衰対象リンクを回動可能に支持する回動支持部と、
前記減衰機構を支持する減衰機構支持部と、を有し、
前記回動支持部及び前記減衰機構支持部は、それぞれ異なる位置に配置され、
前記減衰機構及び前記減衰対象リンクは、互いに噛み合う噛合部を有することを特徴とする頭部装着型画像表示装置。
【請求項５】
請求項４に記載の頭部装着型画像表示装置において、
前記対象当接部は、前記第１リンク及び前記第２リンクのそれぞれの一部を上下方向に沿って挟む一対の筐体部を有し、
前記回動支持部及び前記減衰機構支持部は、前記一対の筐体部のうち、一方の筐体部に位置することを特徴とする頭部装着型画像表示装置。
【請求項６】
請求項２から請求項５のいずれか一項に記載の頭部装着型画像表示装置において、
前記対象当接部の全体が前記第１位置に位置する回動方向に、前記第１リンク及び前記第２リンクのうち少なくとも一方のリンクである付勢対象リンクを付勢する付勢部を有することを特徴とする頭部装着型画像表示装置。
【請求項７】
請求項６に記載の頭部装着型画像表示装置において、
前記付勢部は、一端が前記付勢対象リンクと係合し、他端が所定の位置と係合する引張ばねであり、
前記付勢対象リンクは、前記引張ばねの一端が取り付けられる取付部を有し、
前記対象当接部が前記第１位置と前記第２位置との間の範囲内に位置する際に、前記付勢対象リンクにおける前記対象当接部とは反対側の回動中心から前記取付部における前記引張ばねの一端の取付位置に向かう方向である第１方向と、前記引張ばねの軸方向に沿う第２方向とは、交差することを特徴とする頭部装着型画像表示装置。
【請求項８】
請求項２から請求項７のいずれか一項に記載の頭部装着型画像表示装置において、
前記第１リンクは、
前記第１回動軸を中心として回動可能に支持される第１リンク側第１回動部と、
前記対象当接部に回動可能に支持される第１リンク側第２回動部と、を有し、
前記第２リンクは、
前記第２回動軸を中心として回動可能に支持される第２リンク側第１回動部と、
前記対象当接部に回動可能に支持される第２リンク側第２回動部と、を有し、
前記第１リンク側第１回動部、前記第１リンク側第２回動部、前記第２リンク側第１回動部、及び、前記第２リンク側第２回動部の少なくともいずれかは、軸受を介して支持されることを特徴とする頭部装着型画像表示装置。
【請求項９】
請求項２から請求項８のいずれか一項に記載の頭部装着型画像表示装置において、
前記対象当接部は、
本体部と、
前記本体部に対して着脱可能に設けられ、前記本体部の少なくとも一部を覆うカバーと、を有することを特徴とする頭部装着型画像表示装置。
【請求項１０】
請求項９に記載の頭部装着型画像表示装置において、
前記本体部は、
前記第１リンク及び前記第２リンクと接続される接続部と、
一端が前記接続部に固定されて、前記接続部から前記ユーザーの後方に延出するフレーム部と、を有し、
前記フレーム部は、可撓性を有することを特徴とする頭部装着型画像表示装置。
【請求項１１】
請求項１０に記載の頭部装着型画像表示装置において、
前記フレーム部は、前記接続部からの前記フレーム部の延出方向において前記接続部との固定位置に対して前記延出方向の先端側に位置する湾曲部を有することを特徴とする頭部装着型画像表示装置。
【請求項１２】
請求項１０又は請求項１１に記載の頭部装着型画像表示装置において、
前記対象当接部は、前記フレーム部と前記カバーとの間に位置するシール部材を有することを特徴とする頭部装着型画像表示装置。
【請求項１３】
請求項１０から請求項１２のいずれか一項に記載の頭部装着型画像表示装置において、
前記フレーム部は、金属により形成されていることを特徴とする頭部装着型画像表示装置。
【請求項１４】
請求項１０から請求項１３のいずれか一項に記載の頭部装着型画像表示装置において、
前記カバーは、前記フレーム部が挿通される挿通口を有し、
前記対象当接部は、前記挿通口に前記フレーム部が挿通された前記カバーの脱落を規制する規制部材を有することを特徴とする頭部装着型画像表示装置。
【請求項１５】
請求項１４に記載の頭部装着型画像表示装置において、
前記フレーム部は、前記接続部からの前記フレーム部の延出方向先端部に、前記規制部材が取り付けられる被取付部を有し、
前記被取付部は、前記フレーム部の他の部位より厚さ寸法が大きいことを特徴とする頭部装着型画像表示装置。
【請求項１６】
請求項１５に記載の頭部装着型画像表示装置において、
前記被取付部は、前記フレーム部の一部を、前記頭部に近接する側とは反対側に折り返した構成であることを特徴とする頭部装着型画像表示装置。
【請求項１７】
請求項１から請求項１６のいずれか一項に記載の頭部装着型画像表示装置において、
前記少なくとも一方の支持部は、当該頭部装着型画像表示装置の外装の一部を構成する外装部を有することを特徴とする頭部装着型画像表示装置。
【請求項１８】
請求項１７に記載の頭部装着型画像表示装置において、
前記外装部は、前記画像表示部の側方及び上方の少なくともいずれかを覆うことを特徴とする頭部装着型画像表示装置。
【請求項１９】
請求項１から請求項１８のいずれか一項に記載の頭部装着型画像表示装置において、
前記対象当接部は、少なくとも一部が他の部位より細いことを特徴とする頭部装着型画像表示装置。
【請求項２０】
請求項１から請求項１９のいずれか一項に記載の頭部装着型画像表示装置において、
前記対象当接部は、前記画像表示部によって表示される前記画像を前記ユーザーが観察する方向である観察方向とは反対方向側の部位に、当該頭部装着型画像表示装置の重心位置を調整する重心調整部を有することを特徴とする頭部装着型画像表示装置。
【請求項２１】
請求項１から請求項２０のいずれか一項に記載の頭部装着型画像表示装置において、
前記少なくとも一方の支持部は、前記左側当接部と前記右側当接部との間の前記左右方向における寸法を１２８ｍｍ以上、１７０ｍｍ以下の範囲となるように、前記対象当接部を移動可能に支持することを特徴とする頭部装着型画像表示装置。
【発明の詳細な説明】
【技術分野】
【０００１】
本発明は、頭部装着型画像表示装置に関する。
【背景技術】
【０００２】
従来、ユーザーの頭部に装着され、当該ユーザーによって観察可能に画像を表示する頭部装着型画像表示装置（ＨＭＤ：Head Mounted Display）が知られている。このような頭部装着型画像表示装置として、左右の眼に応じた開口部を有する眼鏡フレームと、当該眼鏡フレームの左右にヒンジ部を介して接続される左右のテンプルホルダーと、各テンプルホルダーと結合されたテンプルと、を備え、左右のテンプル間の幅を調整可能な画像観賞用眼鏡が知られている（例えば、特許文献１参照）。
【０００３】
この特許文献１に記載の画像鑑賞用眼鏡では、テンプルホルダーには、円柱状の回動部材が板バネを挟んでビスによって締結され、当該回動部材は、その中心を回動中心として回動可能に構成されている。また、眼鏡フレームのテンプルホルダーが装着される部位には、回動部材に対応する位置に溝（凹部）が形成されている。この溝は、回動部材の回動中心に対して円弧状に形成されており、当該溝の深さは、円弧の円周方向に沿って段階的に変化するように構成されている。そして、上記ビスを回動させることにより、ビスと回動部材をともに回動させることができ、当該回動部材の突起が溝のどの位置に移動するかによってテンプルの開き角度が調整され、これにより、左右のテンプル間の幅が調整される。このような構成の画像鑑賞用眼鏡によれば、頭部サイズが異なる利用者においても、当該画像鑑賞用眼鏡を装着できる。
【先行技術文献】
【特許文献】
【０００４】
【特許文献１】特開２０１１−８５９２９号公報
【発明の概要】
【発明が解決しようとする課題】
【０００５】
しかしながら、上記特許文献１に記載の画像鑑賞用眼鏡は、上記のように、テンプルの開き角を調整するものである。このため、頭部が比較的小さい利用者においては、頭部における後方側の部位は、左右のテンプルによって挟持されるものの、前方側の部位がテンプルから比較的離れた状態となるため、眼鏡フレームがぐらつく可能性がある。
すなわち、頭部が比較的大きい利用者が当該画像鑑賞用眼鏡を利用する場合には、当該頭部とテンプルとの接触面積が大きくなるので、眼鏡フレームを安定して頭部に装着可能である。しかしながら、頭部が比較的小さい利用者が当該画像鑑賞用眼鏡を利用する場合には、当該頭部とテンプルとの接触面積が小さくなるので、眼鏡フレームを安定して頭部に装着できない可能性がある。
同様に、ヨロイ部に設けられたヒンジ部にて互いに接離する方向に回動可能に設けられた一対のテンプルを有する眼鏡のような構成が採用される場合も、頭部が比較的小さい利用者が当該画像鑑賞用眼鏡を利用する際に、当該一対のテンプルにおいて後頭部側の部位のみが頭部に当接する可能性があり、上記と同様の問題がある。
【０００６】
本発明は、上記課題の少なくとも一部を解決することを目的としたものであり、安定して装着可能な頭部装着型画像表示装置を提供することを目的の１つとする。
【課題を解決するための手段】
【０００７】
本発明の一態様に係る頭部装着型画像表示装置は、ユーザーの頭部に装着され、前記ユーザーに観察可能に画像を表示する頭部装着型画像表示装置であって、前記画像を表示する画像表示部と、前記頭部における左側の側頭部に当接される左側当接部と、前記頭部における右側の側頭部に当接される右側当接部と、前記画像表示部に設けられ、前記左側当接部を支持する左側支持部と、前記画像表示部に設けられ、前記右側当接部を支持する右側支持部と、を備え、前記左側支持部及び前記右側支持部のうち少なくとも一方の支持部は、前記左側当接部及び前記右側当接部のうち前記少なくとも一方の支持部が支持する当接部である対象当接部の全体を、第１位置から、前記第１位置より前記頭部に対して左右方向において離間した第２位置に移動可能に支持し、前記対象当接部の全体が前記第１位置に位置する場合と、前記対象当接部の全体が前記第２位置に位置する場合とで、前記左側当接部と前記右側当接部との間の前記左右方向における寸法は、異なることを特徴とする。
【０００８】
上記一態様によれば、左側支持部及び右側支持部のうち少なくとも一方の支持部は、上記対象当接部を第１位置及び第２位置に移動可能に支持する。そして、当該対象当接部が第１位置に位置する場合の左側当接部と右側当接部との間の左右方向における寸法は、第２位置に位置する場合の当該寸法と異なる。すなわち、対象当接部が第１位置に位置する場合の当該寸法より、第２位置に位置する場合の当該寸法の方が大きくなる。
これによれば、上記対象当接部の全体が、第１位置から第２位置の範囲で左右方向に移動可能なことにより、当該対象当接部全体をユーザーの頭部の大きさに応じた位置、すなわち、側頭部に当接する位置に移動させることができる。このため、頭部の大きさによって当該頭部と対象当接部との接触面積が変化することを抑制でき、当該接触面積を略一定に維持できる。従って、左側当接部及び右側当接部のそれぞれを左右の側頭部に確実に当接させることができ、頭部に頭部装着型画像表示装置を安定して装着させることができる。
【０００９】
上記一態様では、前記少なくとも一方の支持部に、上下方向に沿う第１回動軸を中心として回動可能に支持され、前記対象当接部と接続される第１リンクと、前記少なくとも一方の支持部において前記第１リンクとは前後方向において異なる位置に、上下方向に沿う第２回動軸を中心として回動可能に支持されて、前記対象当接部と接続される第２リンクと、を有することが好ましい。
【００１０】
ここで、頭部の大きさはユーザーによって異なることは述べたが、当該頭部の大きさは、左右方向の寸法だけでなく前後方向の寸法も異なり、頭部の左右方向の寸法と前後方向の寸法とは、比例関係にある。このため、それぞれ頭部の大きさが異なる複数のユーザーにおいて、それぞれの顔を同じ位置に位置させると、後頭部の位置や耳の位置は、ユーザーによって異なる。このことから、左右の当接部が、側頭部から後頭部にかけて当接する形状を有する場合、上記対象当接部の全体が当該左右方向においてのみ移動される構成では、当該対象当接部を側頭部に当接させることはできるものの、当該側頭部及び後頭部に当接部を適切に当接させることができない可能性がある。また、例えば、左右の当接部がユーザーの耳に懸架されるものである場合、上記対象当接部の全体が当該左右方向においてのみ移動される構成では、左右の当接部を適切に耳に懸架することができない可能性がある。
【００１１】
これに対し、上記構成によれば、上記対象当接部は、それぞれ上下方向に沿う第１回動軸及び第２回動軸を中心として回動可能に支持された第１リンク及び第２リンクに接続されている。これによれば、第１リンク及び第２リンクの回動によって、対象当接部の全体を上記左右方向に移動させることができる他、前後方向に移動させることができる。そして、この際、各リンクを前側に回動させることによって、対象当接部全体を前側で、かつ、他方の当接部に対して近接する位置に移動させることができ、また、各リンクを後側に回動させることによって、対象当接部全体を後側で、かつ、他方の当接部に対して離間する位置に移動させることができる。このため、前後及び左右の大きさがそれぞれ異なるユーザーの頭部に応じて左右の少なくともいずれかの当接部全体を移動させることができる。従って、左右の当接部全体を頭部において適切な位置に当接させることができるので、頭部装着型画像表示装置を頭部に安定して装着させることができる。
【００１２】
上記一態様では、前記第１リンク及び前記第２リンクのうち一方のリンクである減衰対象リンクと係合し、前記減衰対象リンクの回動力を減衰させる減衰機構を有することが好ましい。
このような構成によれば、減衰機構によって、減衰対象リンクの回動力が減衰されるので、当該減衰対象リンク、ひいては、上記対象当接部が急激に移動することを抑制できる。従って、対象当接部を緩やかにユーザーの頭部に当接させることができる。
【００１３】
上記一態様では、前記対象当接部は、前記減衰対象リンクを回動可能に支持する回動支持部と、前記減衰機構を支持する減衰機構支持部と、を有し、前記回動支持部及び前記減衰機構支持部は、それぞれ異なる位置に配置され、前記減衰機構及び前記減衰対象リンクは、互いに噛み合う噛合部を有することが好ましい。
このような構成によれば、それぞれ異なる位置に配置された回動支持部及び減衰機構支持部にて減衰対象リンク及び減衰機構が支持される。そして、減衰対象リンクと減衰機構とは、それぞれが有する噛合部によって噛合される。これによれば、噛合部同士が噛合すれば、減衰対象リンクの回動力を減衰機構に伝達できるので、当該減衰対象リンクが減衰機構に支持される場合に比べて、これら減衰対象リンクと減衰機構とを係合しやすくすることができる。
また、回動支持部と減衰機構支持部とが異なる位置に配置されていることにより、減衰対象リンクの回動に伴う、それぞれの支持部に対する負荷を軽減できる。従って、頭部装着型画像表示装置の長寿命化を図ることができる。
【００１４】
上記一態様では、前記対象当接部は、前記第１リンク及び前記第２リンクのそれぞれの一部を上下方向に沿って挟む一対の筐体部を有し、前記回動支持部及び前記減衰機構支持部は、前記一対の筐体部のうち、一方の筐体部に位置することが好ましい。
このような構成によれば、上記一方の筐体部に減衰対象リンク及び減衰機構を取り付けた後に、当該一方の筐体部に他方の筐体部を取り付けることによって対象当接部を構成できる。従って、対象当接部の組立を簡略化できる。
【００１５】
上記一態様では、前記対象当接部の全体が前記第１位置に位置する回動方向に、前記第１リンク及び前記第２リンクのうち少なくとも一方のリンクである付勢対象リンクを付勢する付勢部を有することが好ましい。
このような構成によれば、対象当接部は、付勢部によって、上記寸法が小さくなる方向に付勢される。これによれば、対象当接部が頭部に当接した状態を維持でき、左右の当接部によって頭部を挟持できる。従って、頭部装着型画像表示装置を頭部に一層安定して装着させることができる。
【００１６】
上記一態様では、前記付勢部は、一端が前記付勢対象リンクと係合し、他端が所定の位置と係合する引張ばねであり、前記付勢対象リンクは、前記引張ばねの一端が取り付けられる取付部を有し、前記対象当接部が前記第１位置と前記第２位置との間の範囲内に位置する際に、前記付勢対象リンクにおける前記対象当接部とは反対側の回動中心から前記取付部における前記引張ばねの一端の取付位置に向かう方向である第１方向と、前記引張ばねの軸方向に沿う第２方向とは、交差することが好ましい。
【００１７】
ここで、付勢部を構成する引張ばねによる付勢力は、付勢対象リンクが回動して、当該引張ばねの伸長寸法（引張ばねの軸方向の寸法）が大きくなるに従って大きくなる。すなわち、当該引張ばねの付勢力は、上記第１方向と上記第２方向との交差角が大きくなるに従って大きくなる。
一方、付勢対象リンクにおいて引張ばねの一端の取付位置に当該引張ばねの付勢力の作用方向（第２方向に沿う方向）と同方向に力を作用させて、当該付勢対象リンクを回動させようとした場合、上記交差角が大きくなるに従って、当該付勢対象リンクを回動させるのに必要な力（換言すると抵抗）は大きくなる。
そして、上記引張ばねの付勢力によって付勢対象リンクを回動させる力は、引張ばねによって付勢対象リンクに作用する付勢力と、上記付勢対象リンクを回動させるのに必要な力とを合成した値となる。すなわち、当該付勢対象リンクを回動させる力は、前者の付勢力から、後者の力（抵抗）を減算した力となる。そして、この付勢対象リンクを回動させる力は、当接部がユーザーの頭部を押圧する押圧力となる。
これによれば、付勢対象リンクの回動状態に依らずに、上記押圧力を一定の範囲内の値とすることができる。すなわち、頭部装着型画像表示装置を装着するユーザーの頭部の大きさに依らずに、略一定の押圧力を当該頭部に付与できる。従って、頭部の大きさによって受けるユーザーの負荷を軽減できる。
【００１８】
上記一態様では、前記第１リンクは、前記第１回動軸を中心として回動可能に支持される第１リンク側第１回動部と、前記対象当接部に回動可能に支持される第１リンク側第２回動部と、を有し、前記第２リンクは、前記第２回動軸を中心として回動可能に支持される第２リンク側第１回動部と、前記対象当接部に回動可能に支持される第２リンク側第２回動部と、を有し、前記第１リンク側第１回動部、前記第１リンク側第２回動部、前記第２リンク側第１回動部、及び、前記第２リンク側第２回動部の少なくともいずれかは、軸受を介して支持されることが好ましい。
このような構成によれば、第１リンク及び第２リンクの少なくともいずれかは、これらリンクの支持構造に軸受を介して支持される。これによれば、当該リンク及び支持構造の摩耗を抑制できる他、当該リンクの回動を円滑に行うことができる。
【００１９】
上記一態様では、前記対象当接部は、本体部と、前記本体部に対して着脱可能に設けられ、前記本体部の少なくとも一部を覆うカバーと、を有することが好ましい。
このような構成によれば、ユーザーの頭部に接触するカバーを、必要に応じて交換することによって、当該頭部装着型画像表示装置を清浄な状態に保つことができる。
なお、このようなカバーは、頭部に接触することから劣化が比較的進行しやすいと考えられる。このようにカバーが劣化すると、頭部装着型画像表示装置の装着感が損なわれる可能性がある。これに対し、必要に応じてカバーを交換することにより、当該装着感が損なわれることを抑制できる。
これらの効果は、１つの頭部装着型画像表示装置を複数のユーザーが使用する場合に、特に有効である。
【００２０】
上記一態様では、前記本体部は、前記第１リンク及び前記第２リンクと接続される接続部と、一端が前記接続部に固定されて、前記接続部から前記ユーザーの後方に延出するフレーム部と、を有し、前記フレーム部は、可撓性を有することが好ましい。
このような構成によれば、フレーム部が可撓性を有することによって、頭部の形状に合わせて当接部を変形させることができる。このため、当該頭部に沿うように対象当接部を配置できる他、頭部装着型画像表示装置の装着感を向上させることができる。
【００２１】
上記一態様では、前記フレーム部は、前記接続部からの前記フレーム部の延出方向において前記接続部との固定位置に対して前記延出方向の先端側に位置する湾曲部を有することが好ましい。
ここで、湾曲部がない構成を想定すると、フレーム部が撓む場合、当該フレーム部において接続部との固定位置に負荷が加わりやすい。このため、当該固定位置や、接続部とフレーム部とを固定する固定構造が変形したり劣化したりする場合を考慮して、当該固定位置又は固定構造を強化する必要がある。
これに対し、上記構成によれば、フレーム部が撓む際に、当該フレーム部が撓む位置を湾曲部に規定できるので、上記固定位置及び固定構造を強化する必要がない。そして、当該湾曲部が湾曲していることから、フレーム部の撓む位置の強度を高めることができる。更に、フレーム部が撓みやすくなることから、フレーム部、ひいては、対象当接部を頭部の形状に沿うように変形させやすくすることができる。
【００２２】
上記一態様では、前記対象当接部は、前記フレーム部と前記カバーとの間に位置するシール部材を有することが好ましい。
このような構成によれば、フレーム部とカバーとの間に隙間が生じることを抑制できる。従って、カバーが変形する等して、頭部装着型画像表示装置の装着感が損なわれることを抑制できる。
【００２３】
上記一態様では、前記フレーム部は、金属により形成されていることが好ましい。
このような構成によれば、フレーム部、ひいては、対象当接部の強度を高めることができる。この他、当該対象当接部における後方側の部位が重くなるので、フレーム部にカウンターウェイトとしての機能を持たせることができる。従って、頭部装着型画像表示装置の装着感を向上させることができるだけでなく、当該頭部装着型画像表示装置を使用するユーザーの疲労感を軽減できる。
【００２４】
上記一態様では、前記カバーは、前記フレーム部が挿通される挿通口を有し、前記対象当接部は、前記挿通口に前記フレーム部が挿通された前記カバーの脱落を規制する規制部材を有することが好ましい。
このような構成によれば、カバーは、挿通口をフレーム部が挿通するように装着されるので、カバーを当該フレーム部に容易に装着できる。また、規制部材によってカバーの脱落が規制されるので、意図せずにカバーが脱落することを抑制できる。
【００２５】
上記一態様では、前記フレーム部は、前記接続部からの前記フレーム部の延出方向先端部に、前記規制部材が取り付けられる被取付部を有し、前記被取付部は、前記フレーム部の他の部位より厚さ寸法が大きいことが好ましい。
このような構成によれば、被取付部から規制部材が脱落することを抑制でき、ひいては、フレーム部からカバーが脱落することを確実に抑制できる。
【００２６】
上記一態様では、前記被取付部は、前記フレーム部の一部を、前記頭部に近接する側とは反対側に折り返した構成であることが好ましい。
このような構成によれば、上記規制部材の脱落を抑制できる被取付部を簡易に構成できる。
【００２７】
上記一態様では、前記少なくとも一方の支持部は、当該頭部装着型画像表示装置の外装の一部を構成する外装部を有することが好ましい。
このような構成によれば、上記少なくとも一方の支持部は、上記外装部を有するので、当該支持部を画像表示部の外側に取り付けることによって、上記効果を奏することができる頭部装着型画像表示装置を構成できる。従って、当該頭部装着型画像表示装置の製造工程を簡略化できる。
【００２８】
上記一態様では、前記外装部は、前記画像表示部の側方及び上方の少なくともいずれかを覆うことが好ましい。
このような構成によれば、画像表示部を側方或いは上方から覆うように支持部を取り付けることによって、上記効果を奏する頭部装着型画像表示装置を簡易に構成できる。また、外装部が画像表示部の側方及び上方を覆うことによって、当該頭部装着型画像表示装置の強度を高めることができる。
【００２９】
上記一態様では、前記対象当接部は、少なくとも一部が他の部位より細いことが好ましい。
ここで、頭部装着型画像表示装置を頭部に装着する際に、ユーザーは、比較的細い部位を掴んで装着することが多い。
このため、上記構成によれば、ユーザーに掴むべき位置を把握させやすくすることができる。従って、頭部装着型画像表示装置を装着させやすくすることができる。
【００３０】
上記一態様では、前記対象当接部は、前記画像表示部によって表示される前記画像を前記ユーザーが観察する方向である観察方向とは反対方向側の部位に、当該頭部装着型画像表示装置の重心位置を調整する重心調整部を有することが好ましい。
なお、重心調整部としては、例えば、対象当接部において他の部位より太い部位として構成できる他、比較的重い部材が内部に設けられた部位として構成できる。
ここで、頭部装着型画像表示装置においては、ユーザーの眼に画像光を入射させる構成を当該ユーザーの眼前に配置することが多いため、重心位置が前側に偏りやすい。このような場合、頭部装着型画像表示装置がずれやすくなるだけでなく、装着感が損なわれる。
これに対し、上記構成によれば、重心調整部がカウンターウェイトとなって、頭部装着型画像表示装置の重心位置を調整できる。従って、頭部装着型画像表示装置の前後のバランスを保ちやすくすることができるので、装着感が損なわれることを抑制できる他、ユーザーの疲労感を軽減できる。更に、対象当接部における後側の部位に位置する重心調整部が、当該対象当接部において太い部位として構成されている場合には、当該対象当接部がユーザーの耳に懸架される構成である場合に、当該対象当接部がずれて、耳から外れることを抑制できる。
【００３１】
上記一態様では、前記少なくとも一方の支持部は、前記左側当接部と前記右側当接部との間の前記左右方向における寸法を１２８ｍｍ以上、１７０ｍｍ以下の範囲となるように、前記対象当接部を移動可能に支持することが好ましい。
ここで、子供（頭部装着型画像表示装置の対象年齢の子供）の頭部における左右方向の寸法は、略１２８ｍｍであり、頭部が比較的大きな大人の頭部における左右方向の寸法は、略１７０ｍｍである。このため、上記構成によれば、子供から大人まで、幅広いユーザーに上記頭部装着型画像表示装置を安定して装着させることができる。従って、頭部装着型画像表示装置の汎用性を一層向上させることができる。
【図面の簡単な説明】
【００３２】
【図１】本発明の第１実施形態に係るＨＭＤの外観を示す斜視図。
【図２】上記第１実施形態におけるＨＭＤの外観を示す斜視図。
【図３】上記第１実施形態におけるテンプル間の寸法が最も縮小された状態のＨＭＤを示す平面図。
【図４】上記第１実施形態におけるテンプル間の寸法が最も拡大された状態のＨＭＤを示す平面図。
【図５】上記第１実施形態における画像表示部を示す斜視図。
【図６】上記第１実施形態における画像表示部を示す斜視図。
【図７】上記第１実施形態における上部ケース及び下部ケースを分離させた画像表示部を示す分解斜視図。
【図８】上記第１実施形態における上部ケース及び下部ケースを分離させた画像表示部を示す分解斜視図。
【図９】上記第１実施形態における画像投射部を示す斜視図。
【図１０】上記第１実施形態におけるテンプルを分解したＨＭＤを示す斜視図。
【図１１】上記第１実施形態におけるテンプルを分解したＨＭＤを示す斜視図。
【図１２】上記第１実施形態における外側カバーを示す斜視図。
【図１３】上記第１実施形態における外側カバーを示す斜視図。
【図１４】上記第１実施形態における内側カバーを示す斜視図。
【図１５】上記第１実施形態における内側カバーを示す斜視図。
【図１６】上記第１実施形態における内側カバーを示す斜視図。
【図１７】上記第１実施形態におけるリンク機構、当接部及び減衰機構を示す斜視図。
【図１８】上記第１実施形態におけるリンク機構、当接部及び減衰機構を示す斜視図。
【図１９】上記第１実施形態における当接部の移動状態を示す平面図。
【図２０】上記第１実施形態における当接部の移動状態を示す平面図。
【図２１】本発明の第２実施形態に係るＨＭＤの外観を示す斜視図。
【図２２】上記第２実施形態におけるＨＭＤの外観を示す斜視図。
【図２３】上記第２実施形態におけるテンプル間の寸法が最も縮小された状態のＨＭＤを示す平面図。
【図２４】上記第２実施形態におけるテンプル間の寸法が最も拡大された状態のＨＭＤを示す平面図。
【図２５】上記第２実施形態におけるカバー部材を分離したＨＭＤを示す斜視図。
【図２６】上記第２実施形態におけるカバー部材を示す斜視図。
【図２７】上記第２実施形態における右側テンプルを示す分解斜視図。
【図２８】上記第２実施形態における第１リンク及び第２リンクから当接部を分離させた右側テンプルを示す平面図。
【図２９】上記第２実施形態における当接部の移動状態を示す平面図。
【図３０】上記第２実施形態における当接部の移動状態を示す平面図。
【図３１】本発明の第３実施形態に係るＨＭＤの外観を示す斜視図。
【図３２】上記第３実施形態におけるＨＭＤを示す分解斜視図。
【図３３】上記第３実施形態におけるカバー部材を示す斜視図。
【図３４】上記第３実施形態におけるカバー部材と遮蔽部材とを示す断面図。
【図３５】上記第３実施形態におけるカバー部材と遮蔽部材とを示す断面図。
【図３６】上記第３実施形態における右側テンプルを上方から見た平面図。
【図３７】上記第３実施形態におけるリンク機構及び当接部の本体部を示す斜視図。
【図３８】上記第３実施形態における本体部を示す分解斜視図。
【図３９】上記第３実施形態における本体部を示す分解斜視図。
【図４０】上記第３実施形態における当接部を示す斜視図。
【図４１】上記第３実施形態における当接部を示す分解斜視図。
【図４２】上記第３実施形態におけるＨＭＤを下方から見た図。
【図４３】上記第３実施形態におけるユーザーに装着されたＨＭＤを示す右側面図。
【図４４】上記第３実施形態におけるリンク機構と当接部とを示す平面図。
【図４５】本発明の第４実施形態に係るＨＭＤのテンプルを示す平面図。
【発明を実施するための形態】
【００３３】
［第１実施形態］
以下、本発明の第１実施形態について、図面に基づいて説明する。
［ＨＭＤの概略構成］
図１及び図２は、本実施形態に係るＨＭＤ１の外観を示す斜視図である。詳述すると、図１は、ＨＭＤ１を正面側上方から見た斜視図であり、図２は、ＨＭＤ１を背面側下方から見た斜視図である。
本実施形態に係るＨＭＤ１は、ユーザーの頭部に装着されて使用され、当該ユーザーによって視認可能に画像を表示するとともに、外光を透過させて外界を観察可能とするシースルー型の頭部装着型画像表示装置であり、虚像表示装置である。このＨＭＤ１は、図１及び図２に示すように、画像表示部２及び一対のテンプル６Ｌ，６Ｒを備える。
【００３４】
図３は、テンプル６Ｌ，６Ｒ（当接部６７Ｌ，６７Ｒ）間の寸法Ｌ１が最も縮小された状態のＨＭＤ１を上方から見た平面図であり、図４は、当該寸法Ｌ１が最も拡大された状態のＨＭＤ１を上方から見た平面図である。
このＨＭＤ１では、図３及び図４に示すように、一対のテンプル６Ｌ，６Ｒの当接部６７Ｌ，６７Ｒが互いに離間する方向に移動可能に構成されている。そして、ＨＭＤ１は、当接部６７Ｌ全体と当接部６７Ｒ全体との間の寸法Ｌ１がユーザーＵＳの頭部ＨＥに大きさに応じて調整されることによって、当該頭部ＨＥの大きさに依らずにＨＭＤ１を装着可能に構成されている点を特徴の１つとしている。この寸法Ｌ１は、左右の当接部６７Ｌ，６７Ｒにおける特定部位間の寸法ではなく、或る位置に移動された当接部６７Ｌ，６７Ｒにおいて左右方向に互いに最も離間した部位間の寸法である。このため、当接部６７Ｌ，６７Ｒにおいて、寸法Ｌ１が設定される部位は、図３及び図４に示すように、当接部６７Ｌ，６７Ｒの位置に応じて変化する。
【００３５】
なお、以下の説明では、ＨＭＤ１によって視認可能に表示された画像のユーザーによる観察方向側を前側（正面側）とし、当該前側とは反対側を後側（背面側）とする。すなわち、ユーザーの視線が向く方向側を前側とする。また、ＨＭＤ１における上側及び下側は、当該ＨＭＤ１を装着したユーザーにおける上側及び下側に対応し、ＨＭＤ１における右側及び左側は、当該ＨＭＤ１を装着したユーザーにおける右側及び左側に対応する。そして、図１以降の図にて示す＋Ｚ方向、＋Ｙ方向及び＋Ｘ方向は、互いに直交しており、＋Ｚ方向は前方（後側から前側に向かう方向）を示し、＋Ｙ方向は上方（下側から上側に向かう方向）を示し、＋Ｘ方向は右方向（左側から右側に向かう方向）を示している。また、図示を省略するが、説明の便宜上、＋Ｚ方向とは反対方向を−Ｚ方向とする。−Ｙ方向及び−Ｘ方向も同様である。
【００３６】
［画像表示部の構成］
図５及び図６は、画像表示部２を正面側上方及び背面側下方のそれぞれから見た斜視図である。換言すると、図５及び図６は、それぞれ図１及び図２からテンプル６Ｌ，６Ｒを取り外したＨＭＤ１を正面側上方及び背面側下方のそれぞれから見た斜視図である。
画像表示部２は、ユーザーに視認可能に画像を表示する。この画像表示部２は、図５及び図６に示すように、フレーム３、光学装置４Ｌ，４Ｒ及び撮像装置５を備える。
【００３７】
［フレームの構成］
フレーム３は、眼鏡のフレーム様の構成を有し、光学装置４Ｌ，４Ｒ及び撮像装置５を支持する他、ノーズパッドＮＰや、レンズホルダー及び遮蔽部材（それぞれ図示省略）を支持する。このようなフレーム３は、上方から見て略Ｕ字状を有するフレーム本体３１と、当該フレーム本体３１に取り付けられるケース部材３２Ｌ，３２Ｒと、を有する。
【００３８】
フレーム本体３１は、左右方向に沿って延出するフロント部３１１と、当該フロント部３１１の左右の両端から当該フロント部３１１と交差する後方に延出する側面部３１２Ｒ，３１２Ｌと、を有する。このフレーム本体３１は、これらフロント部３１１及び側面部３１２Ｒ，３１２Ｌが一体的に形成された金属製の一体成型品である。
フロント部３１１は、ＨＭＤ１が頭部に装着された際に、当該頭部における額に沿うように配置される。このフロント部３１１は、光学装置４Ｌ，４Ｒにおいてユーザーの左右の眼前に配置される導光部材４７Ｌ，４７Ｒを支持する。この他、フロント部３１１は、後述する導光部材４７Ｌ，４７Ｒの間に位置する装着部３１１１にて、ノーズパッドＮＰ、レンズホルダー及び遮蔽部材（それぞれ図示省略）を支持可能に構成されている。なお、フロント部３１１における左側端部３１１Ｌ及び右側端部３１１Ｒは、上方から見て後方側に円弧状に湾曲しており、右側端部３１１Ｒには、撮像装置５が配置されている。そして、右側端部３１１Ｒから側面部３１２Ｒが後方に延出しており、左側端部３１１Ｌから側面部３１２Ｌが後方に延出している。
【００３９】
ここで、ノーズパッドＮＰは、上記装着部３１１１に後方から前方に挿入されて支持される。このノーズパッドＮＰは、ＨＭＤ１の装着時にユーザーの鼻（小鼻に応じた部位）を左右から挟み、これにより、当該ＨＭＤ１が左右にずれたり、下方にずれたりすることを抑制する。このようなノーズパッドＮＰは、ユーザーの鼻の大きさや形状に応じて複数用意され、当該ユーザーに適したノーズパッドＮＰが装着部３１１１に挿抜される。
レンズホルダーは、図示を省略するが、テンプルのない眼鏡様の構成を有する。このレンズホルダーは、視力矯正用の左右のレンズを保持して、上記装着部３１１１に後側から着脱可能に取り付けられる。
遮蔽部材は、図示を省略するが、後述する導光部材４７Ｒ，４７Ｌに対する前側に配置され、当該導光部材４７Ｒ，４７Ｌに入射される外光の少なくとも一部を遮蔽して外界を見づらくし、これにより、表示される画像の視認性を向上させる。この遮蔽部材は、上記装着部３１１１に下方側から着脱可能に取り付けられる。
【００４０】
側面部３１２Ｌ，３１２Ｒは、ＨＭＤ１が頭部に装着された際に、左右の側頭部（例えば、こめかみ）に沿うように配置される。
これらのうち、側面部３１２Ｒは、ケース部材３２Ｒと組み合わされて、光学装置４Ｒの画像投射部４１及び制御部４６を内部に収容する収容空間を形成する。
同様に、側面部３１２Ｌは、ケース部材３２Ｌと組み合わされて、光学装置４Ｌの画像投射部４１及び制御部４６を内部に収容する収容空間を形成する。
これら側面部３１２Ｌ，３１２Ｒは、図６に示すように、後方側の端部から更に後方側に突出して、後述するテンプル６Ｌ，６Ｒの内側カバー６２Ｌ，６２Ｒが固定される固定部３１２１をそれぞれ有する。これら固定部３１２１は、当該テンプル６Ｌ，６Ｒとは異なるテンプルが利用される際に、当該異なるテンプルを回動可能に支持する支持部としても機能する。
【００４１】
図７及び図８は、ケース部材３２Ｒを構成する上部ケース３２１及び下部ケース３２３を分離させた画像表示部２を示す分解斜視図である。詳述すると、図７は、当該画像表示部２を背面側上方から見た分解斜視図であり、図８は、当該画像表示部２を背面側下方から見た分解斜視図である。
また、側面部３１２Ｒは、図７及び図８に示すように、固定部３１２１より前側の部位に固定部３１２２を有し、当該固定部３１２２は、上下に並列された２つの孔部３１２３，３１２４を有する。これらのうち、上側の孔部３１２３には、ケース部材３２Ｒの上部ケース３２１を固定するねじが取り付けられ、下側の孔部３１２４には、同じくケース部材３２Ｒの下部ケース３２３を固定するねじが取り付けられる。なお、図示を省略するが、側面部３１２Ｌも、同様の固定部３１２１，３１２２を有する。
【００４２】
［光学装置の構成］
ここで、光学装置４Ｌ，４Ｒについて先に説明する。
光学装置４Ｌは、フレーム３において左側に位置し、光学装置４Ｒは、右側に位置する。これら光学装置４Ｌ，４Ｒは、外部から入力される画像信号に応じた画像を形成し、当該画像をユーザーの眼に入射させる。これらのうち、光学装置４Ｒは、側面部３１２Ｒとケース部材３２Ｒとが組み合わされて形成される上記収容空間内にそれぞれ配置される画像投射部４１及び制御部４６と、上記フロント部３１１に支持される導光部材４７Ｒと、を有する。
以下、光学装置４Ｒの画像投射部４１、制御部４６及び導光部材４７Ｒについて主に説明する。なお、光学装置４Ｌも、光学装置４Ｒの各構成と鏡面対称となる画像投射部４１、制御部４６及び導光部材４７Ｌを有するが、これらは光学装置４Ｒの各構成と同様であるので、一部の説明を省略する。
【００４３】
［画像投射部の構成］
図９は、画像投射部４１を画像光の投射側とは反対側（背面側）における上方から見た斜視図である。なお、図９では、画像形成装置４２の枠体を図示し、表示パネルの図示を省略している。
画像投射部４１は、導光部材４７Ｒ，４７Ｌのうち対応する導光部材に画像光（画像を形成する光）を投射する。この画像投射部４１は、図９に示すように、画像形成装置４２及び投射光学装置４３を備え、これらが組み合わされてユニットとして構成されている。
【００４４】
画像形成装置４２は、制御部４６による制御の下、外部からケーブルＣＢ（図１参照）を介して入力される画像信号に応じた画像光を形成する。この画像形成装置４２は、本実施形態では、有機ＥＬ（Electro-Luminescence）パネル等の自己発光型表示パネルにより構成されている。しかしながら、これに限らず、画像形成装置４２は、ＬＥＤ等の光源と、透過型又は反射型の液晶パネルや、ＭＥＭＳミラー等のマイクロミラーを用いたデバイス等の光変調装置との組合せにより構成することも可能である。
このような画像形成装置４２は、図示を省略するが、フレーム本体３１（例えば側面部３１２Ｒ，３１２Ｌ）と熱伝導部材によって接続されており、当該画像形成装置４２にて生じた熱の少なくとも一部は、当該フレーム本体３１にて外部に放熱される。一方、このような熱伝導部材はなくてもよい。
【００４５】
投射光学装置４３は、画像形成装置４２によって形成された画像光を、対応する導光部材４７Ｌ，４７Ｒに投射する。この投射光学装置４３は、複数のレンズ４４と、当該複数のレンズ４４を収容する鏡筒４５と、を備えた組レンズとして構成されている。なお、画像形成装置４２から入射される画像光を、対応する導光部材に導くことができれば、当該複数のレンズ４４の少なくとも１つに代えてプリズムを採用してもよい。
鏡筒４５は、略四角筒状に形成されており、フレーム本体３１に固定される。この鏡筒４５には、図７及び図８に示すように、後述する基板ホルダー３２２が取り付けられる。すなわち、鏡筒４５を含む画像投射部４１は、基板ホルダー３２２によって下方側から覆われる。なお、図示を省略するが、光学装置４Ｌの画像投射部４１も、同様の基板ホルダーによって下方側から覆われる。
【００４６】
制御部４６は、回路素子が実装されたプリント基板によって構成されている。光学装置４Ｒを構成する制御部４６は、光学装置４Ｌを構成する制御部と信号線（図示省略）を介して接続されている。これら制御部は、上記ケーブルＣＢを介して外部から供給される画像信号に応じて、対応する画像形成装置４２を動作させる。
なお、光学装置４Ｒの制御部には、上記撮像装置５を制御する制御回路が実装されている。
【００４７】
導光部材４７Ｌ，４７Ｒは、上記フレーム本体３１によって支持されてユーザーの左右の眼前に配置され、対応する画像投射部４１から入射される画像光を、ユーザーの左眼及び右眼に導く。
具体的に、導光部材４７Ｒは、光学装置４Ｒの画像投射部４１（投射光学装置４３）から入射された右眼用の画像光を、界面にて内面反射させて中央側に進行させ、ユーザーの右眼に応じた位置に設けられた半透過層によって右眼に導く。光学装置４Ｌの画像投射部４１（投射光学装置４３）から入射された左眼用の画像光を左眼に導く導光部材４７Ｌも同様である。これら導光部材４７Ｌ，４７Ｒは、それぞれ可視光領域で高い光透過性を示す樹脂（例えばシクロオレフィンポリマー）により形成されている。このため、左右の眼前に配置された導光部材４７Ｒ，４７Ｌを介して、ユーザーは、外界を観察可能である。
【００４８】
［ケース部材の構成］
ケース部材３２Ｒは、側面部３１２Ｒと組み合わされて上記収容空間を形成し、ケース部材３２Ｌは、側面部３１２Ｌと組み合わされて上記収容空間を形成する。これらのうち、ケース部材３２Ｒは、図７及び図８に示すように、上部ケース３２１、基板ホルダー３２２及び下部ケース３２３を有する。
なお、ケース部材３２Ｌも、上部ケース３２１、基板ホルダー３２２（図示省略）及び下部ケース３２３を有するが、ケース部材３２Ｒとケース部材３２Ｌとは、鏡面対称となっている。
以下では、ケース部材３２Ｒの各構成について説明し、ケース部材３２Ｌの各構成については、ケース部材３２Ｒの各構成と同様であるため、説明を省略する。
【００４９】
［上部ケースの構成］
上部ケース３２１は、画像投射部４１を上方から覆う部材である。この上部ケース３２１は、上面部３２１Ａと、当該上面部３２１Ａにおけるユーザー側（左側）の端部から垂下して側面部３１２Ｒと対向する側面部３２１Ｂと、これら上面部３２１Ａ及び側面部３２１Ｂに交差する背面部３２１Ｃと、を有する。
これらのうち、背面部３２１Ｃは、略中央に凹部３２１１を有する他、当該凹部３２１１を上下に挟む位置に、２つの孔部３２１２，３２１３を有する。
凹部３２１１は、側面部３１２Ｒの固定部３１２１を外部に露出させる凹部である。
孔部３２１２，３２１３のうち、上方に位置する孔部３２１２は、後述するテンプル６Ｒの外側カバー６１Ｒ及び内側カバー６２Ｒを挿通したねじが固定されるねじ孔であり、これにより、ケース部材３２Ｒに外側カバー６１Ｒ及び内側カバー６２Ｒが固定される。この他、これら孔部３２１２，３２１３は、テンプル６Ｒとは異なる形状及び構成を有する他のテンプルをケース部材３２Ｒに固定するねじが螺合するねじ孔でもある。
【００５０】
［基板ホルダーの構成］
基板ホルダー３２２は、上記鏡筒４５を下方から覆うように当該鏡筒４５に固定される部材である。この基板ホルダー３２２は、上面（鏡筒４５と対向する面）における周縁から上方に向けて起立する起立部３２２１、及び、下面（鏡筒４５とは反対側の面）における周縁より僅かに内側の部位から下方に向けて起立する起立部３２２２を有する。これらのうち、起立部３２２２によって囲まれる位置に、上記制御部４６が配置される。
【００５１】
［下部ケースの構成］
下部ケース３２３は、基板ホルダー３２２を下方から覆うとともに、上部ケース３２１、基板ホルダー３２２及び側面部３１２Ｒと組み合わされて上記収容空間を構成する。この下部ケース３２３は、基板ホルダー３２２の外形形状と同様に、右側の端縁が側面部３１２Ｒに沿い、左側及び背面側の端縁が上部ケース３２１における左側及び背面側の端縁に沿う形状に形成されている。この他、下部ケース３２３における背面側の端部は、上方に向かって傾斜している。このような下部ケース３２３は、起立部３２３１及び固定部３２３２を有する。
【００５２】
起立部３２３１は、下部ケース３２３の底面（基板ホルダー３２２に対向する面）における周縁より僅かに内側の位置から上方に起立しており、当該周縁に沿って形成されている。この起立部３２３１のうち、下部ケース３２３の側面部３１２Ｒ側に位置する部位の外面は、下部ケース３２３が側面部３１２Ｒと接続された場合に、当該側面部３１２Ｒの内面における下端部と当接する。また、起立部３２３１のうち、側面部３１２Ｒ側とは反対側に位置する部位の外面は、下部ケース３２３が上部ケース３２１と組み合わされた際に、側面部３２１Ｂの内面における下端部と当接される。
また、下部ケース３２３と基板ホルダー３２２とが組み合わされた際に、起立部３２３１の内側に当該基板ホルダー３２２の上記起立部３２２２が配置される。これにより、上記制御部４６が配置された空間は閉ざされることとなり、当該空間内への液体の浸入が抑制される。
【００５３】
固定部３２３２は、下部ケース３２３の背面側端部から上方に起立した部位である。この固定部３２３２には、孔部３２３３が形成されている。この孔部３２３３には、上部ケース３２１の孔部３２１３を挿通したねじが挿通し、当該ねじは、上記側面部３１２Ｒの孔部３１２４に固定される。
【００５４】
［撮像装置の構成］
撮像装置５は、上記のように、右側端部３１１Ｒに設けられている。この撮像装置５は、光学装置４Ｒの制御部４６による制御の下で動作して、撮像画像を当該制御部４６に出力する。なお、当該制御部４６は、図示を省略するが、フロント部３１１に沿って配置される信号線を介して光学装置４Ｌの制御部４６と接続されており、当該光学装置４Ｌの制御部４６は、ケース部材３２Ｌから外部に延出するケーブルＣＢを介して外部機器と接続されている。そして、撮像装置５による撮像画像は、当該外部機器に出力される。
【００５５】
［テンプルの構成］
図１０及び図１１は、テンプル６Ｌ，６Ｒのうち、テンプル６Ｒを分解したＨＭＤ１を示す斜視図である。これらのうち、図１０は、当該ＨＭＤ１を正面側上方から見た斜視図であり、図１１は、当該ＨＭＤ１を背面側下方から見た斜視図である。
テンプル６Ｌ，６Ｒは、ＨＭＤ１を当該ユーザーの頭部に装着させる装着部材であり、画像表示部２を構成するケース部材３２Ｌ，３２Ｒにそれぞれ取り付けられる。これらテンプル６Ｌ，６Ｒは、ユーザーの耳に懸架される当接部６７Ｌ，６７Ｒ（左側当接部及び右側当接部に相当）が、頭部に対して接離する方向に移動可能に構成されている点に特徴の１つを有する。
このようなテンプル６Ｌ，６Ｒのうち、テンプル６Ｒは、図１０及び図１１に示すように、外側カバー６１Ｒ、内側カバー６２Ｒ、リンク機構６３Ｒ、当接部６７Ｒ及び減衰機構６８を有する。なお、テンプル６Ｌも、外側カバー６１Ｌ、内側カバー６２Ｌ、リンク機構６３Ｌ、当接部６７Ｌ及び減衰機構６８（図示省略）を有し、これら構成は、テンプル６Ｒと鏡面対称となっている。
以下、テンプル６Ｒが有する各構成について説明し、テンプル６Ｌの各構成については、テンプル６Ｒが有する各構成と同様であるので説明を省略する。
【００５６】
［外側カバーの構成］
図１２は、外側カバー６１Ｒを背面側上方から見た斜視図であり、図１３は、当該外側カバー６１Ｒを背面側下方から見た斜視図である。
外側カバー６１Ｒは、内側カバー６２Ｒと組み合わされて上記ケース部材３２Ｒ及び側面部３１２Ｒを覆う他、リンク機構６３Ｒ及び減衰機構６８を支持するカバー部材であり、本発明の支持部に相当する。この外側カバー６１Ｒは、図１２及び図１３に示すように、それぞれＨＭＤ１の外装の一部を構成する外装部としての上面部６１Ａ、底面部６１Ｂ、前面部６１Ｃ、側面部６１Ｄ及び背面部６１Ｅを有する箱型形状に形成されている。
このような外側カバー６１Ｒは、開口部６１１、突起部６１２、凹部６１３、軸部６１４及び孔部６１５を有する。
【００５７】
開口部６１１は、上記した各面部６１Ａ〜６１Ｅにより端縁が形成されており、左側（ユーザー側）に開口している。この開口部６１１内には、ケース部材３２Ｒに取り付けられた内側カバー６２Ｒが嵌め込まれる。すなわち、内側カバー６２Ｒ及びケース部材３２Ｒは、外側カバー６１Ｒ内に配置される。
突起部６１２は、図１２に示すように、底面部６１Ｂの内面における前側の部位に突設されている。この突起部６１２は、内側カバー６２Ｒが上記開口部６１１内に挿入される際に、当該内側カバー６２Ｒに形成された凹部６２９（図１６参照）に嵌合される。
凹部６１３は、同じく底面部６１Ｂの内面における後側の部位に、それぞれ中心が一致する円形及び長方形を組み合わせたような形状に形成されている。この凹部６１３には、後述する減衰機構６８が取り付けられた内側カバー６２Ｒが外側カバー６１Ｒ内に収容された際に、当該減衰機構６８が配置される。
【００５８】
軸部６１４は、図１３に示すように、上面部６１Ａの内面に突設されており、当該軸部６１４の形成位置は、上記凹部６１３の中央に対応する位置となっている。この軸部６１４は、リンク機構６３Ｒを構成する第１リンク６４Ｒの孔部６４１１（図１７参照）に嵌め込まれて、当該第１リンク６４Ｒの回動軸（後述する回動軸ＡＸ１）となる。
孔部６１５は、背面部６１Ｅに形成されており、当該孔部６１５には、外側カバー６１Ｒをケース部材３２Ｒに固定するねじ（図示省略）が挿通する。このねじは、上記上部ケース３２１の孔部３２１２を挿通して、側面部３１２Ｒの孔部３１２３に螺合する。すなわち、背面部６１Ｅは、外側カバー６１Ｒをケース部材３２Ｒに固定する固定部として機能する。
【００５９】
なお、外側カバー６１Ｒにおける前面部６１Ｃは、右側端部３１１Ｒと同様に、上方から見て緩やかな円弧状に形成されており、当該前面部６１Ｃは側面部６１Ｄと連続して形成されている。このような外側カバー６１Ｒの円弧状部分には、略矩形の開口部６１６が形成されており、当該開口部６１６を介して当該右側端部３１１Ｒに配置された上記撮像装置５が露出される。このような撮像装置５は、本実施形態では左側端部３１１Ｌ（図５参照）には設けられていないため、テンプル６Ｌを構成する外側カバー６１Ｌには、このような開口部６１６は形成されていない。
【００６０】
［内側カバーの構成］
図１４〜図１６は、内側カバー６２Ｒを示す斜視図である。詳述すると、図１４は、内側カバー６２Ｒを右側で、かつ、背面側上方から見た斜視図であり、図１５は、内側カバー６２Ｒを左側で、かつ、背面側上方から見た斜視図である。また、図１６は、内側カバー６２Ｒを右側で、かつ、正面側下方から見た図である。
内側カバー６２Ｒは、上記のように、外側カバー６１Ｒと組み合わされて支持部として機能する。この他、内側カバー６２Ｒは、リンク機構６３Ｒを構成する第２リンク６５Ｒと、減衰機構６８とを支持する。この内側カバー６２Ｒは、図１４〜図１６に示すように、上面部６２Ａ、底面部６２Ｂ、側面部６２Ｃ及び背面部６２Ｄを有する箱型形状に形成されている。これらのうち、側面部６２Ｃは、外側カバー６１ＲとともにＨＭＤ１の外装の一部を構成する外装部に相当する。
このような内側カバー６２Ｒは、開口部６２１〜６２３、ガイド孔６２４、支持部６２５、固定部６２６、開口部６２７、固定部６２８、凹部６２９及び配置部６２０を有する。
【００６１】
開口部６２１は、図１４及び図１６に示すように、上記各面部６２Ａ〜６２Ｄによって端縁が形成され、右側（外側カバー６１Ｒ側）に開口する開口部である。この開口部６２１を介して、ケース部材３２Ｒが内側カバー６２Ｒ内に収容される。
開口部６２２は、図１４〜図１６に示すように、上面部６２Ａに位置する。この開口部６２２は、リンク機構６３Ｒにおいて上記外側カバー６１Ｒの軸部６１４に上端が嵌め込まれた第１リンク６４Ｒの回動可能範囲に応じて形成されている。
開口部６２３は、図１４及び図１６に示すように、底面部６２Ｂに位置する。この開口部６２３は、第１リンク６４Ｒの下端が挿通される開口部である。
ガイド孔６２４は、図１４〜図１６に示すように、側面部６２Ｃに位置し、第１リンク６４Ｒの延出部６４４と第２リンク６５Ｒの本体部６５１とが挿通するスリット状の孔部である。このガイド孔６２４は、第１リンク６４Ｒ及び第２リンク６５Ｒのそれぞれの回動可能範囲に応じて前後に長く形成されている。換言すると、第１リンク６４Ｒ及び第２リンク６５Ｒの回動可能範囲は、当該ガイド孔６２４又は開口部６２２の端縁によって規定される。
【００６２】
支持部６２５は、第２リンク６５Ｒを支持する部位であり、内側カバー６２Ｒ内において後側の部位に設けられている。この支持部６２５は、上下に対向する一対の平面部６２５１，６２５２と、各平面部６２５１，６２５２に形成された孔部６２５３，６２５４及び傾斜部６２５５，６２５６と、を有する。
これらのうち、孔部６２５３，６２５４は、第２リンク６５Ｒの上端及び下端がそれぞれ挿入される孔部である。これら孔部６２５３，６２５４により、第２リンク６５Ｒが上下方向に沿う回動軸（後述する回動軸ＡＸ２）を中心として回動可能に支持される。
傾斜部６２５５，６２５６は、孔部６２５３，６２５４に対する第２リンク６５Ｒの軸部６５２の挿入しやすさを考慮した傾斜部であり、それぞれ孔部６２５３，６２５４に対して右側、すなわち、開口部６２１の開口側に形成されている。これら傾斜部６２５５，６２５６は、各孔部６２５３，６２５４に近接するに従って傾斜部６２５５，６２５６間の上下方向の寸法が小さくなるように傾斜している。これにより、ロッドスプリングによって構成された第２リンク６５Ｒの軸部６５２の上下端を当該各孔部６２５３，６２５４に挿入しやすくしている。
【００６３】
固定部６２６は、上記平面部６２５１に形成された孔部６２６１と、当該平面部６２５１に対して固定部３１２１の上下方向の寸法分だけ下方に離間した位置に形成されたねじ孔６２６２とを有し、ケース部材３２Ｒが取り付けられた側面部３１２Ｒの固定部３１２１に内側カバー６２Ｒを固定する部位である。この固定部６２６において、上側に位置する孔部６２６１には、ねじＳ１（図６参照）が挿通し、当該ねじＳ１は、上記固定部３１２１を挿通した後、下側に位置するねじ孔６２６２に螺合する。これにより、固定部３１２１に、内側カバー６２Ｒが固定される。
開口部６２７は、固定部６２６に対応して上面部６２Ａに形成されている。この開口部６２７は、ケース部材３２Ｒを覆う内側カバー６２Ｒの固定部６２６が固定部３１２１に対して位置合わせされた状態で、当該固定部６２６，３１２１にねじＳ１を上方から挿入するための開口部である。
【００６４】
固定部６２８は、図１４及び図１５に示すように、背面部６２Ｄに位置し、内側カバー６２Ｒをケース部材３２Ｒ（上部ケース３２１）に固定する部位である。この固定部６２８は、孔部６２８１及び凹部６２８２を有する。
孔部６２８１は、背面部６２Ｄを前後方向に沿って貫通する孔部であり、ケース部材３２Ｒ（上部ケース３２１）と組み合わされた内側カバー６２Ｒに外側カバー６１Ｒが組み合わされた場合に、孔部３２１２（図７参照），６１５に応じた位置に形成されている。この孔部６２８１には、孔部６１５を挿通したねじ（図示省略）が挿通し、当該ねじは、孔部３２１２を挿通して孔部３１２３（図７参照）に螺合する。これにより、外側カバー６１Ｒ及び内側カバー６２Ｒが、ケース部材３２Ｒに固定される。
凹部６２８２は、背面部６２Ｄにおいて孔部６２８１の周囲に略矩形状に形成されている。この凹部６２８２には、内側カバー６２Ｒに外側カバー６１Ｒが組み合わされる際に、当該外側カバー６１Ｒの背面部６１Ｅ（図１２参照）が嵌め合わされる。
【００６５】
凹部６２９及び配置部６２０は、図１６に示すように、底面部６２Ｂの外面に位置する。
凹部６２９は、底面部６２Ｂにおいて前側の部位に略矩形状に位置する。この凹部６２９には、内側カバー６２Ｒと外側カバー６１Ｒとが組み合わされる際に、上記突起部６１２が挿入される。これにより、内側カバー６２Ｒに外側カバー６１Ｒを仮固定できる。
配置部６２０は、底面部６２Ｂの外面において後側の部位に位置する凹部である。具体的に、配置部６２０は、上記開口部６２３に応じた位置に形成されている。この配置部６２０内には、開口部６２３を介して底面部６２Ｂの外面側に突出する第１リンク６４Ｒと係合する減衰機構６８が配置される。この配置部６２０の底部には、円筒状の突部６２０１が設けられている。
【００６６】
［リンク機構の構成］
図１７及び図１８は、テンプル６Ｒのうち、リンク機構６３Ｒ、当接部６７Ｒ及び減衰機構６８を示す斜視図である。これらのうち、図１８は、当接部６７Ｒを分解した斜視図である。
リンク機構６３Ｒは、外側カバー６１Ｒ及び内側カバー６２Ｒに一端側が回動可能に支持されて、他端に取り付けられた当接部６７Ｒと、支持部として機能する外側カバー６１Ｒ及び内側カバー６２Ｒとを接続する接続部として機能する他、当該当接部６７Ｒ全体を左右に移動させて、テンプル６Ｌの当接部６７Ｌ（換言すると右側頭部）に対して近接及び離間させるものである。このリンク機構６３Ｒは、図１７及び図１８に示すように、第１リンク６４Ｒ、第２リンク６５Ｒ及び付勢部６６Ｒを備える。
【００６７】
［第１リンクの構成］
第１リンク６４Ｒは、外側カバー６１Ｒ及び内側カバー６２Ｒにおける略中央に位置し、上下方向に沿う回動軸ＡＸ１（図１９及び図２０参照）を中心として、当該外側カバー６１Ｒの軸部６１４及び内側カバー６２Ｒに固定される減衰機構６８に回動可能に取り付けられる。この第１リンク６４Ｒは、対向部６４１，６４２、接続部６４３及び延出部６４４を有する。
【００６８】
対向部６４１，６４２は、上下方向に沿って互いに対向している。
上側に位置する対向部６４１は、接続部６４３とは反対側の端部に、上方から見て略円形状の孔部６４１１を有する。この孔部６４１１には、上記軸部６１４が挿入される。
下側に位置する対向部６４２は、同じく接続部６４３とは反対側の端部に、上方から見て孔部６４１１に対応する位置に長円形状の孔部６４２１を有する。この孔部６４２１には、後述する減衰機構６８の軸部６８２が挿入される。
このように、孔部６４１１，６４２１に軸部６１４，６８２が挿入されることにより、第１リンク６４Ｒが、回動軸ＡＸ１（図１９及び図２０参照）を中心として回動可能に支持され、ひいては、第１リンク６４Ｒの前方及び後方（後述する−Ｄ１方向及び＋Ｄ１方向）への回動が可能となる。
【００６９】
接続部６４３は、上下方向に沿って延出して、対向部６４１，６４２における左側の端部間を接続する。このため、第１リンク６４Ｒにおいて対向部６４１，６４２及び接続部６４３によって形成される部位は、上下方向においてケース部材３２Ｒを挟む横向きの略Ｕ字状をなしている。
延出部６４４は、接続部６４３において対向部６４１，６４２の接続側の面とは反対側の面から突出するように、対向部６４１，６４２と略平行に延出している。この延出部６４４の先端部には、図１８に示すように、突出部６４４１が上下に突出している。これら突出部６４４１は、当接部６７Ｒ内に形成された孔部６７２１，６７３１に挿入され、これにより、第１リンク６４Ｒと当接部６７Ｒとが一体化される。
【００７０】
［第２リンクの構成］
第２リンク６５Ｒは、側方から見て横向きの略Ｔ字状に形成されている。この第２リンク６５Ｒは、一端が上記支持部６２５によって回動可能に支持され、他端が当接部６７Ｒと接続されている。このような第２リンク６５Ｒは、棒状に構成された本体部６５１と、当該本体部６５１の一端に位置する軸部６５２と、他端に位置する突出部６５３と、を有する。
これらのうち、軸部６５２は、上下方向に突出するように設けられている。この軸部６５２は、上記のように上下に伸縮可能なロッドスプリングによって構成され、上端が上記支持部６２５の孔部６２５３に挿入され、下端が孔部６２５４に挿入される。これにより、第２リンク６５Ｒが、当該軸部６５２により形成される回動軸ＡＸ２（図１９及び図２０参照）を中心として回動可能に支持部６２５に支持され、ひいては、第２リンク６５Ｒの前方及び後方（後述する−Ｄ２方向及び＋Ｄ２方向）への回動が可能となる。
突出部６５３は、上下方向に突出するようにそれぞれ形成されている。これら突出部６５３は、当接部６７Ｒ内に形成された孔部６７２２，６７３２に挿入され、これにより、第２リンク６５Ｒと当接部６７Ｒとが一体化される。
【００７１】
［付勢部の構成］
付勢部６６Ｒは、第２リンク６５Ｒの回動可能範囲において当該第２リンク６５Ｒの突出部６５３側の端部（当接部６７Ｒ側の端部）が前方側（−Ｄ２方向側）に位置するように、ひいては、当接部６７Ｒ全体が前方側で、かつ、他方のテンプル７Ｌ側及び頭部側に位置するように、第２リンク６５Ｒを付勢する。この付勢部６６Ｒは、本実施形態では、巻回部６６１，６６２、接続部６６３及びアーム６６４，６６５を有するねじりコイルばねによって構成されている。
巻回部６６１，６６２は、それぞれ、線材をコイル状に巻回した部位である。これらのうち、巻回部６６１は、軸部６５２において上方に突出する部位を巻回するように配置され、巻回部６６２は、軸部６５２において下方に突出する部位を巻回するように配置されている。
接続部６６３は、巻回部６６１，６６２を接続する部位であり、横向きの略Ｕ字状に形成されている。この接続部６６３は、上記本体部６５１の側面のうち、後側の側面に当接される。
アーム６６４，６６５は、巻回部６６１，６６２における接続部６６３側とは反対側の端部から前方に延出している。これらアーム６６４，６６５が、内側カバー６２Ｒに固定されることによって、本体部６５１に当接される接続部６６３が、当該本体部６５１に対して前方（−Ｄ２方向）への付勢力を作用させる。
【００７２】
［当接部の構成］
当接部６７Ｒは、ユーザーの頭部（側頭部及び後頭部）に当接され、当該ユーザーの耳に懸架される。この当接部６７Ｒは、リンク機構６３Ｒの第１リンク６４Ｒ及び第２リンク６５Ｒと接続されている。そして、当接部６７Ｒ全体は、各リンク６４Ｒ，６５Ｒの前方への回動とともに、前側で、かつ、テンプル６Ｌ（換言すると右側頭部）に近い位置に移動され、当該各リンク６４Ｒ，６５Ｒの後方への回動とともに、後側で、かつ、テンプル６Ｌから離れた位置に移動される。このような当接部６７Ｒは、挟持部材６７１と、当該挟持部材６７１によって挟持される当接片６７４と、を有する。
【００７３】
挟持部材６７１は、上方及び下方に位置する一対の挟持片６７２，６７３によって構成されている。この挟持部材６７１は、図１７に示すように、各挟持片６７２，６７３の凹部によって形成されて、上記第１リンク６４Ｒの端部（突出部６４４１側の端部）が挿入される開口部６７１１を有する。また、挟持部材６７１は、各挟持片６７２，６７３の凹部によって形成されて、上記第２リンク６５Ｒの端部（突出部６５３側の端部）が挿入される開口部６７１２を有する。
【００７４】
挟持部材６７１を構成する一対の挟持片６７２，６７３のうち、下方に位置する挟持片６７３は、図１８に示すように、開口部６７１１を介して挿入された第１リンク６４Ｒにおける下側の突出部６４４１が挿入される孔部６７３１を有する。また、挟持片６７３は、開口部６７１２を介して挿入された第２リンク６５Ｒにおける下側の突出部６５３が挿入される孔部６７３２を有する。
また、詳しい図示を省略するが、上側に位置する挟持片６７２にも、第１リンク６４Ｒにおける上側の突出部６４４１が挿入される孔部６７２１と、第２リンク６５Ｒにおける下側の突出部６５３が挿入される孔部６７２２と、が形成されている。
【００７５】
更に、挟持部材６７１は、図１７に示すように、上記一対の挟持片６７２，６７３によって形成される挟持部６７１３を、後方側の端部に有する。この挟持部６７１３は、当接片６７４を挟持する。
なお、挟持部材６７１は、外側（テンプル６Ｌから離間する側）に円弧状に湾曲した湾曲部６７１４を略中央に有する。この湾曲部６７１４は、ユーザーがＨＭＤ１を頭部に装着する際に、人差し指等の指を掛ける指掛け部であり、当接部６７Ｒ，６７Ｌを互いに離間する方向に移動させて、上記寸法Ｌ１を広げやすくする部位である。
【００７６】
当接片６７４は、ユーザーの頭部において当該当接片６７４の配置側の側頭部及び後頭部の形状に合わせた円弧状に湾曲した板状体であり、当該側頭部及び後頭部に当接されて耳に懸架される。この当接片６７４の上下方向（当接片６７４の幅方向）の寸法、及び、左右方向（当接片６７４の厚さ方向）の寸法は、挟持部材６７１のそれぞれの寸法より小さく設定されている。このような当接片６７４は、当該側頭部及び後頭部に直接当接される部位であるため、側頭部側の端面にクッション等の弾性部材が設けられていてもよい。
また、当接片６７４だけでなく、挟持部材６７１の一部も頭部に当接されてもよい。
【００７７】
このような当接部６７Ｒは、第１リンク６４Ｒ及び第２リンク６５Ｒと組み合わされることにより、当該第２リンク６５Ｒに作用する付勢部６６Ｒの付勢力により、上記のように、前方側に位置するように付勢される。すなわち、当該付勢力によって、当接部６７Ｒにおける当接片６７４が、ユーザーの頭部側に近接する方向に付勢される。
【００７８】
［減衰機構の構成］
テンプル６Ｒを構成する減衰機構６８は、図１７及び図１８に示すように、第１リンク６４Ｒの対向部６４２と係合する。この減衰機構６８は、第２リンク６５Ｒに作用する付勢部６６Ｒの付勢力によって当接片６７４が頭部側に近接する方向に移動する際に、当該第２リンク６５Ｒに挟持部材６７１を介して接続された第１リンク６４Ｒの回動力（当接部６７Ｒの移動力）を減衰させて、当該当接片６７４の急激な移動を抑制する。
このような減衰機構６８は、本体部６８１と、当該本体部６８１から突出する軸部６８２と、一対の孔部６８３と、を有する。
【００７９】
これらのうち、軸部６８２は、上記対向部６４２の孔部６４２１に挿入される。この軸部６８２は、上記回動軸ＡＸ１（図１９及び図２０参照）、すなわち、第１リンク６４Ｒの回動軸ＡＸ１と同軸上の回動軸を中心として回動可能に本体部６８１に支持されている。この軸部６８２の回転抵抗によって、上記付勢力による第１リンク６４Ｒの回動力が減衰される。
一対の孔部６８３は、本体部６８１において、上方から見て軸部６８２を挟む位置に形成されている。これらのうち、一方の孔部６８３は、上記内側カバー６２Ｒの配置部６２０に突設された突部６２０１が挿入され、これにより、軸部６８２の回動に伴う本体部６８１（減衰機構６８）の回動が防止される他、配置部６２０に減衰機構６８が位置決めされる。
【００８０】
［ＨＭＤ装着時のテンプルの動作］
図１９及び図２０は、テンプル６Ｒの当接部６７Ｒの移動状態を示す平面図である。具体的に、図１９は、当接部６７Ｒ全体がテンプル６Ｌに対して最も近接する第１位置に位置する状態を上方から見た図であり、図３に示した状態から外側カバー６１Ｒの図示を省略したテンプル６Ｒを拡大して示す図である。また、図２０は、当接部６７Ｒ全体がテンプル６Ｌに対して最も離間する第２位置に位置する状態を上方から見た図であり、図４に示した状態から外側カバー６１Ｒの図示を省略したテンプル６Ｒを拡大して示す図である。
上記構成のテンプル６Ｒでは、当接部６７Ｒは、以下のように移動される。
【００８１】
ＨＭＤ１が頭部ＨＥに装着されていない状態では、図１９に示すように、第２リンク６５Ｒは、上下方向に沿う回動軸ＡＸ２を中心とする回動方向である＋Ｄ２方向及び−Ｄ２方向（＋Ｄ２方向とは反対方向）のうち、当該第２リンク６５Ｒの回動可能範囲において前方に向かう−Ｄ２方向に付勢部６６Ｒによって付勢されている。このため、当該第２リンク６５Ｒと組み合わされた当接部６７Ｒ全体は、前側に位置する。この際、当接部６７Ｒと組み合わされた第１リンク６４Ｒも、上下方向に沿う回動軸ＡＸ１を中心とする回動方向である＋Ｄ１方向及び−Ｄ１方向（＋Ｄ１方向の反対方向）のうち、当該第１リンク６４Ｒの回動可能範囲において前方に向かう−Ｄ１方向側に位置する。この状態では、当接部６７Ｒ全体は、テンプル６Ｌ及び頭部に対して最も近接する第１位置に位置する。また、図示を省略するが、テンプル６Ｌにおいても同様に、当接部６７Ｌ全体は、付勢部の付勢力によってテンプル６Ｒ及び頭部に対して最も近接する第１位置に位置する。
各当接部６７Ｌ，６７Ｒ全体が第１位置に位置する状態は、上記寸法Ｌ１（図３及び図４参照）が最も短い状態であり、当該状態での寸法Ｌ１は、本実施形態では、子供の頭部に合わせて１２８ｍｍに設定されている。
なお、このような第１リンク６４Ｒ及び第２リンク６５Ｒの回動可能範囲は、内側カバー６２において扇状に形成されて内側に第１リンク６４Ｒの一部が配置される開口部６２２の端縁、又は、ガイド孔６２４の端縁によって設定される。第１リンク６４Ｌ及び第２リンク６５Ｌも同様である。
【００８２】
各当接部６７Ｌ，６７Ｒ全体が第１位置に位置する状態から、上記湾曲部６７１４に掛けられた左右の指等によって当該各当接部６７Ｌ，６７Ｒに対して互いに離間する方向に力が加わると、テンプル６Ｒにおいては、各リンク６４Ｒ，６５Ｒが、当該各リンク６４Ｒ，６５Ｒの回動可能範囲において後方に向かう＋Ｄ１，＋Ｄ２方向に、それぞれ回動される。この場合、図２０に示すように、当接部６７Ｒ全体が、後方で、かつ、テンプル６Ｌから離間した位置に移動される。また、図示を省略するが、テンプル６Ｌにおいても同様に、各リンク６４Ｌ，６５Ｌが当該各リンク６４Ｌ，６５Ｌの回動可能範囲において後方に向かう方向にそれぞれ回動されると、当接部６７Ｌ全体が、後方で、かつ、テンプル６Ｒから離間した位置に移動される。
このようにして、当接部６７Ｌ，６７Ｒ全体を最も後方で、かつ、他方のテンプルから最も離間させた際の当該当接部６７Ｌ，６７Ｒの位置が第２位置であり、これら当接部６７Ｌ，６７Ｒ全体を第２位置に位置させた状態が、上記寸法Ｌ１が最も長くなる状態となる。この状態での寸法Ｌ１は、本実施形態では、頭部が比較的大きな大人に合わせて１７０ｍｍに設定されている。
このように、テンプル６Ｌ，６Ｒは、各当接部６７Ｌ，６７Ｒが上記第１位置から上記第２位置までの範囲で移動可能に構成されている。
【００８３】
なお、図３及び図４に示すように、当接部６７Ｌ，６７Ｒは、第１位置から第２位置に向かうに従って第１リンク６４Ｒ，６４Ｌとの係合位置を中心として回動するため、当該第２位置での当接部６７Ｌ，６７Ｒ（当接片６７４）は、反対側のテンプルに対して開いた状態（＋Ｚ方向に対する傾斜角が大きい状態）となる。しかしながら、これに限らず、各当接部６７Ｌ，６７Ｒは回動せずに平行移動されてもよい。
【００８４】
そして、テンプル６Ｌ，６Ｒによって挟まれる位置に頭部を配置し、各当接部６７Ｌ，６７Ｒを互いに離間させる方向の力を弱めると、テンプル６Ｒにおいては、付勢部６６Ｒの付勢力によって、各リンク６４Ｒ，６５Ｒがそれぞれ−Ｄ１，−Ｄ２方向に回動される。これにより、当該頭部の右側頭部及び後頭部（詳しくは後頭部における右側の部位）に当接部６７Ｒ（当接片６７４）が当接される。また、テンプル６Ｌにおいても当接部６７Ｌ（当接片６７４）も同様に移動されて、当該頭部の左側頭部及び後頭部（詳しくは後頭部における左側の部位）に当接される。換言すると、各当接部６７Ｌ，６７Ｒ全体は、頭部に当接するまで、当該頭部に近接する方向に移動される。
これら当接部６７Ｌ，６７Ｒには、付勢部（当接部６７Ｒにおいては付勢部６６Ｒ）による付勢力が作用されるので、当該各当接部６７Ｌ，６７Ｒによって頭部が挟持される。なお、上記のように、当該付勢力による各当接部６７Ｌ，６７Ｒの移動の際には、上記減衰機構６８によって移動力が減衰されるので、各当接部６７Ｌ，６７Ｒの急激な移動が抑制される。
【００８５】
［第１実施形態の効果］
以上説明した本実施形態に係るＨＭＤ１によれば、以下の効果を奏することができる。
右側支持部として機能する外側カバー６１Ｒ及び内側カバー６２Ｒは、第１リンク６４Ｒ及び第２リンク６５Ｒを支持し、ひいては、当該リンク６４Ｒ，６５Ｒに接続された当接部６７Ｒ（対象当接部）を支持する。これらリンク６４Ｒ，６５Ｒによって、当該当接部６７Ｒの全体が、それぞれ上記した第１位置及び第２位置の間で移動可能となる。同様に、左側支持部として機能する外側カバー６１Ｌ及び内側カバー６２Ｌは、第１リンク６４Ｌ及び第２リンク６５Ｌを支持し、ひいては、これらリンク６４Ｌ，６５Ｌに接続された当接部６７Ｌ（対象当接部）を支持する。これらリンク６４Ｒ，６５Ｒによって、当該当接部６７Ｒの全体が、それぞれ上記した第１位置及び第２位置の間で移動可能となる。
これら当接部６７Ｌ，６７Ｒ全体がそれぞれ第１位置に位置する場合の当接部６７Ｌ，６７Ｒ間の左右方向における寸法Ｌ１より、第２位置に位置する場合の当該寸法Ｌ１は、大きくなる。これによれば、当接部６７Ｌ，６７Ｒ間にユーザーの頭部が位置することによって、これら当接部６７Ｌ，６７Ｒを、左右方向の大きさが異なる頭部の大きさに応じた位置（側頭部）に確実に当接させることができる。従って、頭部の大きさによって当該頭部と各当接部６７Ｌ，６７Ｒとの接触面積が変化することを抑制でき、当該接触面積を略一定に維持できるので、ＨＭＤ１を頭部に安定して装着させることができる。
なお、当接部６７Ｌ，６７Ｒのうち、一方の当接部が固定され、他方の当接部全体が上記構成によって移動可能に構成されている場合でも、当該他方の当接部全体が頭部に対して近接及び離間する方向に移動可能であることにより、上記効果を奏することができる。
【００８６】
ここで、頭部の大きさはユーザーによって異なるが、当該頭部の大きさは、左右方向の寸法だけでなく前後方向の寸法もユーザーによって異なる。すなわち、頭部の左右方向の寸法と前後方向の寸法とは、比例関係にある。このため、顔の位置が同じである場合には、後頭部の位置や耳の位置は、頭部の大きさに応じて後側にずれることとなる。左右の当接部６７Ｌ，６７Ｒは、側頭部から後頭部にかけて当接する湾曲形状を有することから、これら当接部６７Ｌ，６７Ｒ全体が左右方向においてのみ移動される構成では、当該当接部６７Ｌ，６７Ｒを側頭部に当接させることはできるものの、当該側頭部及び後頭部に適切に当接させづらい場合がある。また、左右の当接部６７Ｌ，６７Ｒはユーザーの耳に懸架されるものであるので、上記当接部６７Ｌ，６７Ｒ全体が左右方向においてのみ移動される構成では、適切に耳に懸架しづらい場合がある。
【００８７】
これに対し、上記当接部６７Ｒは、それぞれ上下方向に沿う回動軸ＡＸ１（第１回動軸），ＡＸ２（第２回動軸）を中心として回動可能に支持された第１リンク６４Ｒ及び第２リンク６５Ｒに接続されている。同様に、当接部６７Ｌは、それぞれ上下方向に沿う回動軸を中心として回動可能に支持された第１リンク６４Ｌ及び第２リンク６５Ｌに接続されている。これによれば、各リンク６４Ｌ，６５Ｌ，６４Ｒ，６５Ｒの回動によって、各当接部６７Ｌ，６７Ｒ全体を左右方向及び前後方向に移動させることができる。このため、各リンク６４Ｌ，６５Ｌ，６４Ｒ，６５Ｒを前側に回動させることによって、各当接部６７Ｌ，６７Ｒ全体を前側で、かつ、他方の当接部及び頭部に対して近接する位置に移動させることができる。また、各リンク６４Ｌ，６５Ｌ，６４Ｒ，６５Ｒを後側に回動させることによって、当接部６７Ｌ，６７Ｒ全体を後側で、かつ、他方の当接部及び頭部に対して離間する位置に移動させることができる。これにより、前後及び左右の大きさがそれぞれ異なるユーザーの頭部に応じて左右の当接部６７Ｌ，６７Ｒ全体を移動させることができる。従って、左右の当接部６７Ｌ，６７Ｒ全体を頭部において適切な位置に当接させやすくすることができるので、ＨＭＤ１を頭部に安定して装着させやすくすることができる。
なお、当接部６７Ｌ，６７Ｒのうち、一方の当接部が固定され、他方の当接部全体が上記構成によって移動可能に構成されている場合でも、当該他方の当接部全体が左右だけでなく前後にも移動可能となるので、上記効果を奏することができる。
【００８８】
テンプル６Ｒは、当接部６７Ｒ全体が上記第１位置に位置する回動方向に、第２リンク６５Ｒを付勢する付勢部６６Ｒを有する。また、図示を省略したが、テンプル６Ｌも、当接部６７Ｌ全体が上記第１位置に位置する回動方向に、第２リンク６５Ｌを付勢する付勢部を有する。これによれば、当接部６７Ｌ，６７Ｒは、各付勢部（例えば付勢部６６Ｒ）によって、上記寸法Ｌ１が小さくなる方向に付勢される。このため、各当接部６７Ｌ，６７Ｒが頭部に当接した状態を維持でき、各当接部６７Ｌ，６７Ｒによって頭部を挟持できる。従って、ＨＭＤ１を頭部に一層安定して装着させることができる。
なお、当接部６７Ｌ，６７Ｒのうち、一方の当接部が固定され、他方の当接部全体が上記構成によって移動可能に構成されている場合でも、当該他方の当接部全体が頭部側に付勢されるので、上記効果を奏することができる。
【００８９】
テンプル６Ｒは、付勢部６６Ｒによる付勢力を減衰させる減衰機構６８を有する。また、図示を省略したが、テンプル６Ｌは、付勢部による付勢力を減衰させる減衰機構６８を有する。これによれば、各減衰機構６８によって、上記付勢力が強い場合でも、当接部６７Ｌ，６７Ｒが急激に移動することを抑制できる。従って、当接部６７Ｌ，６７Ｒを緩やかに頭部に当接させることができる。
【００９０】
テンプル６Ｒにおいて、それぞれ右側支持部として機能する外側カバー６１Ｒ及び内側カバー６２Ｒは、互いに組み合わされる。これらのうち、外側カバー６１Ｒは、ＨＭＤ１の外装の一部を構成する外装部としての上面部６１Ａ、底面部６１Ｂ、前面部６１Ｃ、側面部６１Ｄ及び背面部６１Ｅを有し、また、内側カバー６２Ｒは、当該外装部としての側面部６２Ｃを有する。これによれば、画像表示部２の外側に、リンク機構６３Ｒ、当接部６７Ｒ及び減衰機構６８が設けられた各カバー６１Ｒ，６２Ｒを取り付けることによって、上記効果を奏することができるＨＭＤ１を構成できる。従って、ＨＭＤ１の製造工程を簡略化できる。テンプル６Ｌにおいても同様である。
【００９１】
外側カバー６１Ｒ及び内側カバー６２Ｒにおいて、それぞれ外装部として機能する上面部６１Ａ、底面部６１Ｂ、前面部６１Ｃ、側面部６１Ｄ、背面部６１Ｅ及び側面部６２Ｃは、画像表示部２を構成するケース部材３２Ｒの側方、上方及び下方を覆う。これによれば、ケース部材３２Ｒを挟むように各カバー６１Ｒ，６２Ｒを取り付けることによって、上記効果を奏するＨＭＤ１を簡易に構成できる。また、ケース部材３２Ｒの上下及び左右が覆われることによって、ＨＭＤ１の強度を高めることができる。
【００９２】
ＨＭＤを頭部に装着する際に、ユーザーは、比較的細い部位を掴んで装着することが多い。これに対し、当接部６７Ｒにおいて後方に位置する当接片６７４は、本体部となる挟持部材６７１より細い。これによれば、ユーザーに掴むべき位置を把握させやすくすることができる。従って、ＨＭＤ１を装着させやすくすることができる。
【００９３】
子供の頭部における左右方向の寸法は、略１２８ｍｍであり、頭部が比較的大きな大人の頭部における左右方向の寸法は、略１７０ｍｍである。
これに対し、外側カバー６１Ｌ及び内側カバー６２Ｌ、並びに、外側カバー６１Ｒ及び内側カバー６２Ｒは、第１リンク６４Ｌ，６４Ｒ及び第２リンク６５Ｌ，６５Ｒによって、各当接部６７Ｌ，６７Ｒ間の左右方向における寸法Ｌ１を、１２８ｍｍ以上、１７０ｍｍ以下の範囲となるように、各当接部６７Ｌ，６７Ｒ全体を移動可能に支持する。これによれば、子供から大人まで、幅広いユーザーの頭部にＨＭＤ１を安定して装着させることができる。従って、ＨＭＤ１の汎用性を一層向上させることができる。
【００９４】
［第２実施形態］
次に、本発明の第２実施形態について説明する。
本実施形態に係るＨＭＤは、上記ＨＭＤ１と同様の構成及び機能を有するが、テンプルの構成が異なる。なお、以下の説明では、既に説明した部分と同一又は略同一である部分については、同一の符号を付して説明を省略する。
【００９５】
図２１〜図２４は、本実施形態に係るＨＭＤ１Ａの外観を示す図である。詳述すると、図２１及び図２２は、ＨＭＤ１Ａを正面側上方及び背面側下方からそれぞれ見た斜視図である。また、図２３は、左側テンプル７２Ｌ及び右側テンプル７２Ｒ間の寸法Ｌ２が最も縮小された状態のＨＭＤ１Ａを上方から見た平面図であり、図２４は、当該寸法Ｌ２が最も拡大された状態のＨＭＤ１Ａを上方から見た平面図である。
本実施形態に係るＨＭＤ１Ａは、図２１〜図２４に示すように、テンプル６Ｌ，６Ｒに代えてテンプル７を有する他は、上記ＨＭＤ１と同様の構成及び機能を有する。そして、ＨＭＤ１Ａは、図２３及び図２４に示すように、テンプル７を構成する右側テンプル７２Ｒ及び左側テンプル７２Ｌの各当接部７２６全体が互いに離間する方向に移動可能に構成され、各当接部７２６全体間の寸法Ｌ２がユーザーの頭部に大きさに応じて調整されることによって、当該頭部の大きさに依らずに装着可能に構成されている点を特徴の１つとしている。この寸法Ｌ２は、上記寸法Ｌ１と同様に、左右の当接部７２６における特定部位間の寸法ではなく、或る位置に移動された各当接部７２６において左右方向に互いに最も離間した部位間の寸法である。
以下、テンプル７の構成について説明する。
【００９６】
［テンプルの構成］
図２５は、テンプル７を構成するカバー部材７１を分離したＨＭＤ１Ａを示す斜視図である。
テンプル７は、上記テンプル６Ｌ，６Ｒと同様に、ユーザーの頭部にＨＭＤ１Ａ（画像表示部２）を装着させる装着部材であり、画像表示部２（フレーム本体３１及びケース部材３２Ｌ，３２Ｒ）を上方から覆うように、当該画像表示部２に取り付けられる。このテンプル７は、図２５に示すように、カバー部材７１と、当該カバー部材７１によって支持される左側テンプル７２Ｌ及び右側テンプル７２Ｒと、を有する。
そして、このようなテンプル７は、左側テンプル７２Ｌ及び右側テンプル７２Ｒにおいて、ユーザーの左右の側頭部に当接される各当接部７４全体が、前後方向、並びに、テンプル７２Ｌ，７２Ｒのうち反対側のテンプル及び頭部に対して接離する方向に移動可能に構成されている。
【００９７】
［カバー部材の構成］
図２６は、カバー部材７１を正面側下方から見た斜視図である。
カバー部材７１は、略Ｕ字状に形成されており、フロント部３１１及びケース部材３２Ｌ，３２Ｒを上方から覆うとともに側面部３１２Ｌ，３１２Ｒを外側から覆うように、当該ケース部材３２Ｌ，３２Ｒに固定される。
このようなカバー部材７１は、図２５及び図２６に示すように、フロント部７１１、延出部７１２Ｌ，７１２Ｒ、側面部７１３Ｌ，７１３Ｒ、固定部７１４Ｌ，７１４Ｒ、凹部７１５、開口部７１６、第１軸部７１７Ｌ，７１７Ｒ及び第２軸部７１８Ｌ，７１８Ｒを有し、これらが一体的に形成されている。
【００９８】
フロント部７１１は、上記フレーム本体３１のフロント部３１１を上方から覆う。
延出部７１２Ｌ，７１２Ｒは、フロント部７１１における左側端部及び右側端部から後方に延出している。これら延出部７１２Ｌ，７１２Ｒは、ケース部材３２Ｌ，３２Ｒの上面部（各上部ケース３２１の上面部３２１Ａ）を上方から覆う。
側面部７１３Ｌ，７１３Ｒは、それぞれ、側面部３１２Ｌ，３１２Ｒを外側（ユーザーの頭部側とは反対側）から覆う。
すなわち、これらフロント部７１１、延出部７１２Ｌ，７１２Ｒ及び側面部７１３Ｌ，７１３Ｒは、ＨＭＤ１Ａの外装の一部を構成する外装部に相当する。
【００９９】
固定部７１４Ｌ，７１４Ｒのうち、固定部７１４Ｌは、図２６に示すように、延出部７１２Ｌ及び側面部７１３Ｌのそれぞれの後端に位置し、固定部７１４Ｒは、延出部７１２Ｒ及び側面部７１３Ｒのそれぞれの後端に位置する。これら固定部７１４Ｌ，７１４Ｒは、左右の固定部３１２１に応じた孔部７１４１及びねじ孔７１４２を有する。そして、孔部７１４１及び固定部３１２１を下方から挿通したねじＳ２（図２５参照）がねじ孔７１４２に螺合することにより、カバー部材７１が、フレーム３（フレーム本体３１及びケース部材３２Ｌ，３２Ｒ）に固定される。
【０１００】
凹部７１５は、図２６に示すように、フロント部７１１における前面に形成され、フレーム本体３１に支持された上記導光部材４７Ｌ，４７Ｒを露出させる。
開口部７１６は、上記撮像装置５を露出させる。
【０１０１】
第１軸部７１７Ｌ，７１７Ｒは、延出部７１２Ｌ，７１２Ｒの下面に、それぞれ円筒状に突設されている。これらのうち、第１軸部７１７Ｌは、左側テンプル７２Ｌの第１リンク７３１に挿入されて、当該第１リンク７３１の回動軸となる。同様に、第１軸部７１７Ｒは、右側テンプル７２Ｒの第１リンク７３１に挿入されて、当該第１リンク７３１の回動軸ＡＸ３（図２９及び図３０参照）となる。このような第１軸部７１７Ｌ，７１７Ｒには、これら第１軸部７１７Ｌ，７１７Ｒの軸方向に沿うねじ孔７１７１がそれぞれ形成されている。
【０１０２】
第２軸部７１８Ｌ，７１８Ｒは、延出部７１２Ｌ，７１２Ｒの下面において第１軸部７１７Ｌ，７１７Ｒより後方に、それぞれ円筒状に突設されている。これらのうち、第２軸部７１８Ｌは、左側テンプル７２Ｌの第２リンク７３２に挿入されて、当該第２リンク７３２の回動軸となる。同様に、第２軸部７１８Ｒは、右側テンプル７２Ｒの第２リンク７３２に挿入されて、当該第２リンク７３２の回動軸ＡＸ４（図２９及び図３０参照）となる。このような第２軸部７１８Ｌ，７１８Ｒにも、ねじ孔７１８１がそれぞれ形成されている。
すなわち、カバー部材７１は、右側テンプル７２Ｒを支持する右側支持部、及び、左側テンプル７２Ｌを支持する左側支持部を構成するものである。
【０１０３】
［右側テンプルの構成］
図２７は、右側テンプル７２Ｒを示す分解斜視図である。また、図２８は、リンク機構７２１を構成する第１リンク７３１及び第２リンク７３２から当接部７４を分離させた右側テンプル７２Ｒを上方から見た平面図である。
右側テンプル７２Ｒは、ユーザーの右側頭部及び後頭部（詳しくは後頭部の右側の部位）に当接され、左側頭部及び後頭部（詳しくは後頭部における左側の部位）に当接される左側テンプル７２Ｌとともに、当該ユーザーの頭部を挟持する。この右側テンプル７２Ｒは、図２５、図２７及び図２８に示すように、リンク機構７３、当接部７４及び減衰機構６８を有する。
【０１０４】
［リンク機構の構成］
リンク機構７３は、上記カバー部材７１における延出部７１２Ｒの下面に取り付けられ、当接部７４を支持するとともに、当該当接部７４全体を移動させる。このリンク機構７３は、第１リンク７３１、第２リンク７３２、ベース部材７３３及び付勢部７３４を有する。
【０１０５】
［第１リンク及び第２リンクの構成］
第１リンク７３１及び第２リンク７３２は、それぞれ平板状に形成され、第１リンク７３１は前側に、第２リンク７３２は後側に、それぞれの延出方向が略平行となるように配置される。これら第１リンク７３１及び第２リンク７３２は、上記延出部７１２Ｒの下面に取り付けられるベース部材７３３に一端が回動可能に支持され、他端が当接部７４と接続される。
このような第１リンク７３１は、両端に略円形状の孔部７３１１，７３１２を有し、第２リンク７３２も、両端に略円形状の孔部７３２１，７３２２を有する。
これらのうち、各リンク７３１，７３２において同じ側に位置する孔部７３１１，７３２１には、ベース部材７３３の円筒部７３３１，７３３２が挿入され、これにより、第１リンク７３１及び第２リンク７３２は、当該ベース部材７３３に回動可能に支持される。
【０１０６】
第１リンク７３１において孔部７３１２が位置する端部は、当接部７４内に挿入され、孔部７３１２には、当接部７４の孔部７４３に挿入される嵌合部材（図示省略）が挿入される。これにより、第１リンク７３１と当接部７４とが組み合わされる。
第２リンク７３２において孔部７３２２には、減衰機構６８の軸部６８２が挿入される。そして、第２リンク７３２において孔部７３２２が位置する端部、及び、当該減衰機構６８は、当接部７４内に挿入される。そして、減衰機構６８が当接部７４内に固定されることにより、第２リンク７３２と当接部７４とが、減衰機構６８を介して組み合わされる。
【０１０７】
このような第１リンク７３１では、当接部７４との接続側の端部が前側に屈曲している。一方、第２リンク７３２では、ベース部材７３３による支持側の端部が後側に屈曲している。そして、それぞれの屈曲部分の屈曲方向は、略平行となっており、各リンク７３１，７３２において屈曲部分を除く部位も、略平行となっている。これらは、カバー部材７１及び当接部７４内に、各リンク７３１，７３２を収容しやすくするための構成である。
なお、第１リンク７３１は、上記孔部７３１１，７３１２の他、当該孔部７３１１が位置する側の端部に、外側に突出する取付部７３１３を有する。この取付部７３１３には、付勢部７３４の一端が取り付けられる。
【０１０８】
［ベース部材の構成］
ベース部材７３３は、第１リンク７３１、第２リンク７３２及び付勢部７３４を支持し、上記カバー部材７１の延出部７１２Ｒにおける下面に取り付けられる。このベース部材７３３は、図２７及び図２８に示すように、ボス様の円筒部７３３１，７３３２、挿通孔７３３３，７３３４、取付部７３３５及び起立部７３３６，７３３７を有する。
【０１０９】
円筒部７３３１は、第１リンク７３１の孔部７３１１に挿入され、当該第１リンク７３１の回動軸（回動軸ＡＸ３）を構成する。また、円筒部７３３２は、第２リンク７３２の孔部７３２１に挿入され、当該第２リンク７３２の回動軸（回動軸ＡＸ４）を構成する。
挿通孔７３３３は、円筒部７３３１の軸方向に沿って当該円筒部７３３１を貫通する孔部であり、挿通孔７３３４は、円筒部７３３２の軸方向に沿って当該円筒部７３３２を貫通する孔部である。そして、挿通孔７３３３を下方から挿通したねじ（図示省略）が、第１軸部７１７Ｒのねじ孔７１７１に螺合し、挿通孔７３３４を下方から挿通したねじ（図示省略）が、第２軸部７１８Ｒのねじ孔７１８１に螺合することによって、ベース部材７３３は、上記延出部７１２Ｒの下面に取り付けられる。これにより、当該延出部７１２Ｒは、右側テンプル７２Ｒの第１リンク７３１及び第２リンク７３２を、上下方向に沿う回動軸を中心として回動可能に支持する。
【０１１０】
取付部７３３５は、ベース部材７３３の側面のうち当接部７４側とは反対側の側面から外側に突出している。この取付部７３３５は、鉤状に形成されたフックであり、当該取付部７３３５には、付勢部７３４の他端が取り付けられる。
起立部７３３６，７３３７のうち、起立部７３３６は、ベース部材７３３の前側の端部に位置し、起立部７３３７は、左側の端部に位置する。この起立部７３３６に、前側に回動された第１リンク７３１が当接されることにより、当該第１リンク７３１の前方への回動可能範囲が規定される。同様に、起立部７３３７に、後側に回動された第１リンク７３１が当接されることにより、当該第１リンク７３１の後方への回動可能範囲が規定される。
【０１１１】
［付勢部の構成］
付勢部７３４は、本実施形態では、引張ばね（引張コイルばね）によって構成され、上記のように、一端が第１リンク７３１の取付部７３１３に取り付けられ、他端がベース部材７３３の取付部７３３５に取り付けられる。このような付勢部７３４によって、第１リンク７３１は、当該第１リンク７３１の回動可能範囲において、孔部７３１２側の端部が前方に移動する方向（後述する−Ｄ３方向）に付勢される。
【０１１２】
［当接部の構成］
当接部７４は、上記当接部６７Ｒと同様に、ユーザーの頭部（側頭部及び後頭部）に当接され、当該ユーザーの耳に懸架される部材である。この当接部７４は、第１リンク７３１及び第２リンク７３２と接続されている。そして、当接部７４全体は、各リンク７３１，７３２の前方への回動とともに、前側で、かつ、左側テンプル７２Ｌ及び頭部に近い位置に移動され、当該各リンク７３１，７３２の後方への回動とともに、後側で、かつ、左側テンプル７２Ｌ及び頭部から離れた位置に移動される。このような当接部７４は、本体部７４１と、当該本体部７４１によって支持される当接片７４５と、を有する。
【０１１３】
本体部７４１は、第１リンク７３１及び第２リンク７３２と接続される部位である。この本体部７４１における各リンク７３１，７３２側の側面には、前後方向に長い挿入口７４２が形成されている。この挿入口７４２を介して、各リンク７３１，７３２における孔部７３１２，７３２２側の端部が本体部７４１内に挿入される。
本体部７４１の上面７４１Ａには、孔部７４３，７４４が形成されている。これら孔部７４３，７４４には、本体部７４１内に挿入された各リンク７３１，７３２の孔部７３１２，７３２２に嵌合される嵌合部材（図示省略）が挿入される。これにより、第１リンク７３１及び第２リンク７３２と、当接部７４（本体部７４１）とが組み合わされる。
【０１１４】
当接片７４５は、本体部７４１から後方に延出しており、当該当接片７４５は、ユーザーの右側頭部及び後頭部（詳しくは後頭部における右側の部位）の形状に沿う湾曲形状を有する。すなわち、当接片７４５は、後方に向かうに従って左側テンプル７２Ｌに近接する方向に湾曲している。このような当接片７４５は、後方に向かうに従って細くなるように形成されており、先端部（後側端部）に重心調整部７４６が設けられている。
重心調整部７４６は、本実施形態では、略四角柱状に形成されている。この重心調整部７４６が、ＨＭＤ１Ａのカウンターウェイトとして機能することによって、前方に重心が偏りがちなＨＭＤ１Ａの重心位置を当該重心調整部７４６が無い場合に比べて後側にずらすことができ、装着感の向上及び疲労感の低減を図っている。この他、重心調整部７４６は、当接片７４５において太く形成されていることから、耳に懸架された当接片７４５のずれを抑制する。
【０１１５】
［左側テンプルの構成］
左側テンプル７２Ｌは、ユーザーの左側頭部及び後頭部に当接され、上記右側テンプル７２Ｒとともに、当該ユーザーの頭部を挟持する。この左側テンプル７２Ｌも、右側テンプル７２Ｒと同様に、図２５に示すように、第１リンク７３１、第２リンク７３２、ベース部材７３３及び付勢部７３４を有するリンク機構７３と、当接部７４と、減衰機構６８（図２５では図示省略）と、を有する。そして、左側テンプル７２Ｌと右側テンプル７２Ｒとは、鏡面対称に構成されている。
【０１１６】
［ＨＭＤ装着時のテンプルの動作］
図２９及び図３０は、右側テンプル７２Ｒの当接部７４の移動状態を示す平面図である。具体的に、図２９は、当該当接部７４全体が左側テンプル７２Ｌや頭部に対して最も近接した状態を上方から見た平面図であり、図２３に示した状態からカバー部材７１の図示を省略して右側テンプル７２Ｒを拡大した図である。また、図３０は、当該当接部７４全体が左側テンプル７２Ｌ及び頭部に対して最も離間した状態を上方から見た平面図であり、図２４に示した状態からカバー部材７１の図示を省略して右側テンプル７２Ｒを拡大した図である。なお、図３０では、図示の都合上、付勢部７３４と取付部７３１３との係合を解除している。
上記構成の右側テンプル７２Ｒでは、当接部７４は、以下のように移動される。
【０１１７】
ＨＭＤ１Ａが頭部に装着されていない状態、図２９に示すように、第１リンク７３１は、上下方向に沿う回動軸ＡＸ３を中心とする回動方向である＋Ｄ３方向及び−Ｄ３方向（＋Ｄ３方向とは反対方向）のうち、当該第１リンク７３１の回動可能範囲において前方に向かう−Ｄ３方向に付勢部７３４によって付勢されている。このため、当該第１リンク７３１と組み合わされた当接部７４全体は、前側に位置する。この際、当接部７４と組み合わされた第２リンク７３２も、上下方向に沿う回動軸ＡＸ４を中心とする回動方向である＋Ｄ４方向及び−Ｄ４方向（＋Ｄ４方向の反対方向）のうち、当該第２リンク７３２の回動可能範囲において前方に向かう−Ｄ４方向側に位置する。この状態では、第１リンク７３１は、上記起立部７３３６に当接し、当接部７４全体は、左側テンプル７２Ｌ及び頭部に対して最も近接する第１位置に位置する。また、図示を省略するが、左側テンプル７２Ｌにおいても同様に、当接部７４全体は、付勢部の付勢力によって右側テンプル７２Ｒ及び頭部に対して最も近接する第１位置に位置する。
各当接部７４全体が第１位置に位置する状態は、上記寸法Ｌ２（図２３及び図２４参照）が最も短い状態であり、当該状態での寸法Ｌ２は、本実施形態では１２８ｍｍに設定されている。
【０１１８】
各当接部７４が第１位置に位置する状態から、当接部７４が外側に広げられて各リンク７３１，７３２が、それぞれ＋Ｄ３，＋Ｄ４方向に回動されると、図３０に示すように、当接部７４全体は、後方に移動するとともに、左側テンプル７２Ｌ及び頭部から離間した位置に移動される。また、図示を省略するが、左側テンプル７２Ｌにおいても同様に、各リンク７３１，７３２が当該各リンク７３１，７３２の回動可能範囲において後方に向かう方向にそれぞれ回動されると、当接部７４全体は、後方に移動するとともに、右側テンプル７２Ｒ及び頭部から離間した位置に移動される。
このようにして、右側テンプル７２Ｒのリンク７３１，７３２をそれぞれ＋Ｄ３，＋Ｄ４方向にそれぞれ最も回動させ、同様に、左側テンプル７２Ｌのリンク７３１，７３２を後方に最も回動させた際の各当接部７４全体の位置が第２位置であり、これら当接部７４全体のそれぞれを第２位置に位置させた状態が、上記寸法Ｌ２が最も長くなる状態となる。この状態では、第１リンク７３１は、上記起立部７３３７に当接しており、当該寸法Ｌ２は、本実施形態では１７０ｍｍに設定されている。
このように、テンプル７は、各当接部７４全体がそれぞれの上記第１位置からそれぞれの上記第２位置までの範囲で移動可能に構成されている。
【０１１９】
これら当接部７４に挟まれる位置に頭部を配置して、各当接部７４を外側に開く力を弱めると、付勢部７３４の付勢力によって、右側テンプル７２Ｒのリンク７３１，７３２が、それぞれ−Ｄ３，−Ｄ４方向に回動される。これにより、当該頭部の右側頭部及び後頭部に、右側テンプル７２Ｒの当接部７４（当接片７４５）が当接される。この際、左側テンプル７２Ｌのリンク７３１，７３２も前側に回動されて、当接部７４全体が頭部の左側頭部及び後頭部に当接される。換言すると、各当接部７４全体は、頭部に当接するまで、当該頭部に近接する方向に移動される。
これら当接部７４には、付勢部７３４による付勢力が作用されるので、当該各当接部７４（当接片７４５）によって頭部が挟持される。本実施形態においても、付勢部７３４による各当接部７４全体の移動の際には、上記減衰機構６８によって移動力が減衰され、当該各当接部７４の急激な移動が抑制される。
【０１２０】
なお、各当接部７４の移動は、上記した当接部６７Ｌ，６７Ｒとは異なり、上記第１位置から上記第２位置の間での平行移動である。しかしながら、これに限らず、各当接部７４は、当該当接部６７Ｌ，６７Ｒと同様に、第１位置側から第２位置側に移動するに従って各当接部７４の後端間の間隔が広がるように（第２位置側から第１位置側に移動するに従って当該間隔が狭まるように）、リンク７３１，７３２の一方（特に第１リンク７３１）との係合位置を中心として回動する構成としてもよい。これによれば、上記ＨＭＤ１の場合と同様に、ユーザーの頭部が比較的小さい場合には、各当接部７４の後端が内側に閉じ、当該頭部が比較的大きい場合には、各当接部７４の後端が外側に開くので、それぞれの場合で各当接部７４（当接片７４５）の頭部との接触面積を維持しやすくすることができる。このような各当接部７４の回動は、例えば、第２リンク７３２より第１リンク７３１の寸法（ベース部材７３３との係合位置から当接部７４との係合位置までの寸法）を大きくすることによって実現できる。
【０１２１】
［第２実施形態の効果］
以上説明した本実施形態に係るＨＭＤ１Ａによれば、上記ＨＭＤ１と同様の効果を奏することができる他、以下の効果を奏することができる。
左側支持部及び右側支持部として機能するカバー部材７１は、右側テンプル７２Ｒを構成する第１リンク７３１及び第２リンク７３２を支持し、ひいては、これらリンク７３１，７３２に接続された当接部７４（対象当接部）を支持する。また、当該カバー部材７１は、左側テンプル７２Ｌを構成する第１リンク７３１及び第２リンク７３２を支持し、ひいては、これらリンク７３１，７３２に接続された当接部７４（対象当接部）を支持する。そして、それぞれ対応するリンク７３１，７３２によって、各当接部７４の全体が、上記した第１位置及び第２位置の間で移動となる。これら当接部７４がそれぞれ第１位置に位置する場合の各当接部７４間の左右方向における寸法Ｌ２より、第２位置に位置する場合の当該寸法Ｌ２は、大きくなる。これによれば、各当接部７４間にユーザーの頭部が位置することによって、これら当接部７４全体を、左右方向の大きさが異なる頭部の大きさに応じた位置（側頭部）に確実に当接させることができる。従って、頭部の大きさによって当該頭部と各当接部７４との接触面積が変化することを抑制でき、当該接触面積を略一定に維持できるので、ＨＭＤ１Ａを頭部に安定して装着させることができる。
なお、左右の当接部７４のうち、一方の当接部が固定され、他方の当接部全体が上記構成によって移動可能に構成されている場合でも、当該他方の当接部全体が頭部に対して近接及び離間する方向に移動可能であることにより、上記効果を奏することができる。
【０１２２】
右側テンプル７２Ｒの当接部７４は、それぞれ上下方向に沿う回動軸ＡＸ３（第１回動軸），ＡＸ４（第２回動軸）を中心として回動可能に支持された第１リンク７３１及び第２リンク７３２に接続されている。同様に、左側テンプル７２Ｌの当接部７４は、それぞれ上下方向に沿う回動軸を中心として回動可能に支持された第１リンク７３１及び第２リンク７３２に接続されている。これによれば、それぞれ対応するリンク７３１，７３２の回動によって、各当接部７４全体を左右方向及び前後方向に移動させることができる。このため、各リンク７３１，７３２を前側に回動させることによって、各当接部７４全体を前側で、かつ、他方の当接部及び頭部に対して近接する位置に移動させることができる。また、各リンク７３１，７３２を後側に回動させることによって、各当接部７４全体を後側で、かつ、他方の当接部及び頭部に対して離間する位置に移動させることができる。これにより、前後及び左右の大きさがそれぞれ異なるユーザーの頭部に応じて左右の当接部７４全体を移動させることができる。従って、左右の当接部７４全体を頭部において適切な位置に当接させることができるので、ＨＭＤ１Ａを頭部に安定して装着させることができる。
なお、左右の当接部７４のうち、一方の当接部が固定され、他方の当接部全体が上記構成によって移動可能に構成されている場合でも、当該他方の当接部全体が左右だけでなく前後にも移動可能となるので、上記効果を奏することができる。
【０１２３】
右側テンプル７２Ｒは、当接部７４全体が上記第１位置に位置する回動方向に、第１リンク７３１を付勢する付勢部７３４を有する。また、図示を省略したが、左側テンプル７２Ｌも、当接部７４全体が上記第１位置に位置する回動方向に、第１リンク７３１を付勢する付勢部７３４を有する。これによれば、各当接部７４は、各付勢部７３４によって、上記寸法Ｌ１が小さくなる方向に付勢される。これにより、各当接部７４が頭部に当接した状態を維持でき、各当接部７４によって頭部を挟持できる。従って、ＨＭＤ１Ａを頭部に一層安定して装着させることができる。
なお、左右の当接部７４のうち、一方の当接部が固定され、他方の当接部全体が上記構成によって移動可能に構成されている場合でも、当該他方の当接部全体が頭部側に付勢されるので、上記効果を奏することができる。
【０１２４】
左側支持部及び右側支持部として機能するカバー部材７１は、ＨＭＤ１Ａの外装の一部を構成する外装部としてのフロント部７１１、延出部７１２Ｌ，７１２Ｒ及び側面部７１３Ｌ，７１３Ｒを有する。そして、フロント部７１１及び延出部７１２Ｌ，７１２Ｒは、フレーム本体３１のフロント部３１１及びケース部材３２Ｌ，３２Ｒを上方から覆い、側面部７１３Ｌ，７１３Ｒは、ケース部材３２Ｌ，３２Ｒを外側（側方）から覆う。これによれば、画像表示部２の外側に、左側テンプル７２Ｌ及び右側テンプル７２Ｒが設けられたカバー部材７１を取り付けることによって、上記効果を奏することができるＨＭＤ１Ａを簡易に構成できる。従って、ＨＭＤ１Ａの製造工程を簡略化できる。この他、カバー部材７１が画像表示部２の上方及び側方を覆うので、ＨＭＤ１Ａの強度を高めることができる。
なお、左側テンプル７２Ｌ及び右側テンプル７２Ｒの一方のみがカバー部材７１に設けられる場合でも、同様の効果を奏することができる。
【０１２５】
上記のように、ＨＭＤ１Ａを頭部に装着する際には、ユーザーは、比較的細い部位を掴んで装着することが多い。これに対し、当接部７４における当接片７４５は、本体部７４１の後方に設けられ、当該当接片７４５において重心調整部７４６を除く部分は、本体部７４１より細い。これによれば、ユーザーに掴むべき位置を把握させやすくすることができる。従って、ＨＭＤ１Ａを装着させやすくすることができる。
【０１２６】
また、ＨＭＤ１Ａにおいては、ユーザーの眼に画像光を入射させる導光部材４７Ｌ，４７Ｒは当該ユーザーの眼前に配置することが多いため、重心位置が前側に偏りやすい。このような場合、装着されたＨＭＤ１が前側にずれやすくなるだけでなく、装着感が損なわれる。
これに対し、当接片７４５においてユーザーにとっての観察方向とは反対方向側、すなわち、後側に位置する重心調整部７４６が、カウンターウェイトとして機能するので、ＨＭＤ１Ａの前後のバランスを保ちやすくすることができる。従って、装着感が損なわれることを抑制できる他、ユーザーの疲労感を軽減できる。また、当該重心調整部７４６が、当接部７４における後側の部位に太く形成されているので、当該当接部７４（当接片７４５）がユーザーの耳から外れることを抑制できる。
【０１２７】
［第３実施形態］
次に、本発明の第３実施形態について説明する。
本実施形態に係るＨＭＤは、上記ＨＭＤ１Ａと同様の構成を有するが、フレーム及びテンプルの構成が異なる。なお、以下の説明では、既に説明した部分と同一又は略同一である部分については、同一の符号を付して説明を省略する。
【０１２８】
図３１及び図３２は、本実施形態に係るＨＭＤ１Ｂの外観を示す斜視図である。これらのうち、図３１は、当該ＨＭＤ１Ｂを正面側上方から見た斜視図である。また、図３２は、テンプル８の一部を分離させたＨＭＤ１Ｂを背面側上方から見た斜視図である。なお、図３２では、図示の都合上、第１リンク８３１と付勢部８３４との係合を解除している。また、図３２においては、遮蔽部材ＳＤを省略している。
本実施形態に係るＨＭＤ１Ｂは、図３１及び図３２に示すように、遮蔽部材ＳＤ（図３１）を有し、テンプル７に代えてテンプル８を有する他は、上記ＨＭＤ１Ａと同様の構成及び機能を有する。このテンプル８は、カバー部材８１と、左側テンプル８２Ｌ及び右側テンプル８２Ｒと、を有する。なお、遮蔽部材ＳＤの構成については、後に詳述する。
【０１２９】
このテンプル８は、上記テンプル７と同様の機能を有し、当該テンプル８を構成する右側テンプル８２Ｒ及び左側テンプル８２Ｌの各当接部８４全体が、他方のテンプル及びユーザーの頭部に対して最も近接する第１位置と、最も離間する第２位置との間で移動可能に構成されている。この他、テンプル８は、詳しくは後述するが、ユーザーの頭部の大きさに依らずに略一定の押圧力で頭部を挟持する機能を有する点と、より頭部の形状に沿うように構成されている点とを、それぞれ特徴の１つとして有する。
なお、本実施形態においても、各当接部８４全体が第１位置に位置する状態での当接部８４間の寸法は、１２８ｍｍに設定され、上記第２位置に位置する状態での当接部８４間の寸法は、１７０ｍｍに設定されている。
以下、テンプル８の各構成について説明する。
【０１３０】
［カバー部材の構成］
図３３は、カバー部材８１を正面側下方から見た斜視図である。
カバー部材８１は、カバー本体８１１及び取付部材８１２を備えて構成されている。
カバー本体８１１は、上方から見て略Ｕ字状に形成されている。このカバー本体８１１は、上記カバー部材７１と同様に、左側テンプル８２Ｌ及び右側テンプル８２Ｒを支持して、フレーム本体３１及びケース部材３２Ｌ，３２Ｒの上方、及び、当該ケース部材３２Ｌ，３２Ｒの側面（ユーザーの頭部側とは反対側の側面）を覆うように、フレーム３に取り付けられる。
このようなカバー本体８１１は、図３３に示すように、フロント部７１１、延出部７１２Ｌ，７１２Ｒ、側面部７１３Ｌ，７１３Ｒ、固定部７１４Ｌ，７１４Ｒ、凹部７１５、開口部７１６、ねじ孔７１７１を有する第１軸部７１７Ｌ，７１７Ｒ、及び、ねじ孔７１８１を有する第２軸部７１８Ｌ，７１８Ｒを有し、これらが一体的に形成されている。
なお、カバー本体８１１においては、後述する第１リンク８３１にそれぞれ挿入される第１軸部７１７Ｌ，７１７Ｒの位置は、上記カバー部材７１における第１軸部７１７Ｌ，７１７Ｒの位置に比べて、ユーザーの頭部側に位置する。
【０１３１】
取付部材８１２は、カバー本体８１１のフロント部７１１における背面側の端縁に沿って、当該カバー本体８１１に固定される。このような取付部材８１２は、当該端縁に沿って延びる延出部８１２１と、当該延出部８１２１の略中央に位置する挟持部８１２３と、遮蔽部材ＳＤが回動可能に取り付けられる一対の取付部８１２４と、を有し、下方から見て略Ｔ字状に形成されている。
【０１３２】
延出部８１２１は、取付部材８１２をカバー本体８１１に固定するねじ（図示省略）が挿通する複数の孔部８１２２を有する。
挟持部８１２３は、取付部材８１２がカバー本体８１１に取り付けられた際に、上記装着部３１１１に応じた位置に配置され、当該カバー本体８１１とともに装着部３１１１を上下に挟持する。なお、図示を省略するが、この挟持部８１２３における正面側の端面には、カバー本体８１１の突出部（図示省略）が挿入される凹部が形成されており、これらにより、カバー本体８１１に対する取付部材８１２の位置合わせが行われる。
また、挟持部８１２３における背面側の端面には、装着部３１１１に挿入されるノーズパッドＮＰの一部が挿通する開口部が形成されている。
取付部８１２４は、挟持部８１２３を挟むように一対設けられている。これら取付部８１２４は、延出部８１２１の延出方向に中心軸を有する略円筒状に形成されている。この取付部８１２４には、遮蔽部材ＳＤ（図３４及び図３５参照）が回動可能に取り付けられる。
【０１３３】
［遮蔽部材の構成］
遮蔽部材ＳＤは、上記遮蔽部材と同様に、導光部材４７Ｒ，４７Ｌを介してユーザーの両眼に入射される外光の少なくとも一部を遮蔽して外界を見づらくし、これにより、表示される画像の視認性を向上させるものである。この遮蔽部材ＳＤは、図３１に示すように、遮光部ＳＤ１及び支持部ＳＤ２を有する。本実施形態では、これら遮光部ＳＤ１及び支持部ＳＤ２は、それぞれ別の部材として構成され、これら部材が組み合わされて遮蔽部材ＳＤが構成されている。しかしながら、これに限らず、遮蔽部材ＳＤは、一体的に形成されていてもよい。
【０１３４】
遮光部ＳＤ１は、導光部材４７Ｒ，４７Ｌを覆って、当該導光部材４７Ｒ，４７Ｌに入射する外光を遮蔽する部位であり、本実施形態では、所定の光透過率を有する材料によって形成されている。この所定の光透過率には、光を透過させない透過率０も含む。なお、遮光部ＳＤ１は、入射される光の少なくとも一部の透過を抑制できれば、構成及び材料は問わない。例えば、遮光部ＳＤ１は、入射光を一定の透過率にて透過させるフィルターを有する構成でもよく、偏光素子を有する構成でもよい。また、遮光部ＳＤ１は、入射光の光量に応じて透過率が変化する材料（例えばフォトクロミック材料）により少なくとも一部が形成されていてもよい。更に、遮光部ＳＤ１は、印加電圧に応じて光の透過率を調整可能なシャッター装置（例えば液晶シャッター）を有する構成としてもよい。
【０１３５】
支持部ＳＤ２は、上記遮光部ＳＤ１を支持した状態にて、上記取付部８１２４（図３３参照）に回動可能に取り付けられる部位である。この支持部ＳＤ２は、図３１に示すように、左右方向（＋Ｘ方向）に長い遮光部ＳＤ１の上端を把持する把持部ＳＤ３と、把持部ＳＤ３における左右方向の略中央から背面側に延出するアームＳＤ４と、を有する。
【０１３６】
図３４及び図３５は、カバー部材８１（取付部材８１２）と、当該カバー部材８１に取り付けられた遮蔽部材ＳＤとを示す断面図である。これらのうち、図３４は、遮蔽部材ＳＤをユーザーの視方向上に配置した状態の断面図であり、図３５は、当該視方向から外した位置に遮蔽部材ＳＤを回動させた状態の断面図である。
アームＳＤ４は、図３４及び図３５に示すように、取付部８１２４に回動可能に取り付けられ、把持部ＳＤ３、ひいては、遮光部ＳＤ１を移動させる部位である。このアームＳＤ４は、把持部ＳＤ３から背面側に延出する第１延出部ＳＤ５と、当該第１延出部ＳＤ５における背面側の端部にて当該第１延出部ＳＤ５に対して略直交する第２延出部ＳＤ６と、当該第２延出部ＳＤ６に設けられた一対の取付部ＳＤ７と、を有する。
これらのうち、一対の取付部ＳＤ７のそれぞれは、断面視略Ｕ字状に形成されており、それぞれ対応する取付部８１２４を挟持する。これにより、遮蔽部材ＳＤは、取付部８１２４を中心として上下に回動可能である。
【０１３７】
このため、遮蔽部材ＳＤを＋Ｅ１方向に回動させることにより、図３４に示すように、導光部材４７Ｌ，４７Ｒ（導光部材４７Ｌは図示省略）が正面側にて遮光部ＳＤ１によって覆われる遮蔽状態と、図３５に示すように、導光部材４７Ｌ，４７Ｒ（導光部材４７Ｌは図示省略）が遮光部ＳＤ１によって覆われない非遮蔽状態とに切り替え可能である。換言すると、ユーザーの視方向上に遮光部ＳＤ１が位置することによって外界を遮蔽し、画像の視認性を高め、没入感を向上可能な遮蔽位置と、当該視方向上に遮光部ＳＤ１が位置しないことによって外界を観察可能な非遮蔽位置とに、遮蔽部材ＳＤの位置を切り替えることができる。
【０１３８】
ここで、図３４及び図３５に示すように、上記一対の取付部８１２４のそれぞれは、外周面に凹部８１２５，８１２６を有する。これら凹部８１２５，８１２６のうち、凹部８１２５は、当該取付部８１２４における上側の位置に形成され、凹部８１２６は、背面側の位置に形成されている。
一方、上記一対の取付部ＳＤ７のそれぞれは、対応する取付部８１２４に対向する面に、上記凹部８１２５，８１２６の一方に嵌合可能な突起ＳＤ８を有する。
そして、遮蔽部材ＳＤが＋Ｅ１方向に回動して、導光部材４７Ｌ，４７Ｒが上記遮蔽状態となったときに、突起ＳＤ８は、凹部８１２５に嵌合する。これにより、遮蔽部材ＳＤは、導光部材４７Ｌ，４７Ｒを正面側にて覆う位置に位置決めされる。
また、遮蔽部材ＳＤが−Ｅ１方向に回動して、導光部材４７Ｌ，４７Ｒが上記非遮蔽状態となったときに、突起ＳＤ８は、凹部８１２６に嵌合する。これにより、遮蔽部材ＳＤは、導光部材４７Ｌ，４７Ｒを覆わない位置に位置決めされる。
【０１３９】
なお、このような取付部８１２４，ＳＤ７の組合せは、一対でなくてもよく、取付部材８１２に取付部８１２４が１つ設けられ、遮蔽部材ＳＤに取付部ＳＤ７が１つ設けられる構成としてもよい。すなわち、取付部８１２４，ＳＤ７の数は適宜変更可能であり、位置も適宜変更可能である。また、取付部８１２４が突起を有し、当該突起が嵌合可能な複数の凹部を取付部ＳＤ７が有する構成としてもよく、突起の位置や、凹部の位置及び数も適宜変更可能である。
更に、＋Ｘ方向に沿う回動軸（遮蔽部材ＳＤの回動軸）となる取付部８１２４の位置は、適宜変更可能であり、遮蔽部材ＳＤがカバー部材８１に回動可能に支持される支持構造も適宜変更可能である。例えば、遮蔽部材ＳＤは、カバー部材８１に着脱可能でなくてもよく、回動可能に連結されていてもよい。また、遮蔽部材ＳＤにおける右側領域と左側領域とが、それぞれ独立して回動してもよく、この場合の回動軸は、左右方向（＋Ｘ方向）に沿っていてもよく、上下方向（＋Ｙ方向）に沿っていてもよい。
【０１４０】
［右側テンプルの構成］
図３６は、右側テンプル８２Ｒを上方から見た平面図である。なお、図３６では、当接部８４を構成する上側筐体部８６１を外した右側テンプル８２Ｒを示している他、図示の都合上、第１リンク８３１と付勢部８２６との係合を解除している。
右側テンプル８２Ｒは、図３１及び図３２に示したように、ユーザーの頭部に対して右側に位置し、当該ユーザーの右側頭部と後頭部の右側部分とに当接されて、左側テンプル８２Ｌとともに当該頭部を挟持する。この右側テンプル８２Ｒは、図３６に示すように、右側テンプル７２Ｒと同様に、リンク機構８３、当接部８４及び減衰機構６８を備えて構成されている。
【０１４１】
［リンク機構の構成］
リンク機構８３は、上記カバー部材８１における延出部７１２Ｒの下面に取り付けられ、当接部８４全体を左側テンプル８２Ｌ及び頭部に対して接離する方向に移動させる。このリンク機構８３は、第１リンク８３１、第２リンク８３２、ベース部材８３３及び付勢部８３４を有する。
【０１４２】
［第１リンク及び第２リンクの構成］
第１リンク８３１及び第２リンク８３２は、第１リンク７３１及び第２リンク７３２と略同じ形状に形成されている。すなわち、第１リンク８３１は、ベース部材８３３に対する回動中心となる第１リンク側第１回動部としての孔部７３１１と、当接部８４に対する回動中心となる第１リンク側第２回動部としての孔部７３１２と、を有する。この第１リンク８３１は、孔部７３１１にベース部材８３３の円筒部７３３１が挿入されることによって、当該円筒部７３３１を中心として左側テンプル８２Ｌ及びユーザーの頭部から離間する方向である＋Ｄ５方向と、当該＋Ｄ５方向とは反対方向（左側テンプル８２Ｌ及び頭部に近接する方向）である−Ｄ５方向とに、上下方向に沿う回動軸ＡＸ５を中心として回動可能に、ベース部材８３３に支持される。
【０１４３】
また、第２リンク８３２は、ベース部材８３３に対する回動中心となる第２リンク側第１回動部としての孔部７３２１と、当接部８４に対する回動中心となる第２リンク側第２回動部としての孔部７３２２と、を有する。この第２リンク８３２は、孔部７３２１にベース部材８３３の円筒部７３３２が挿入されることによって、当該円筒部７３３２を中心として左側テンプル８２Ｌ及びユーザーの頭部から離間する方向である＋Ｄ６方向と、当該＋Ｄ６方向とは反対方向（左側テンプル８２Ｌ及び頭部に近接する方向）である−Ｄ６方向とに、上下方向に沿う回動軸ＡＸ６を中心として回動可能に、ベース部材８３３において第１リンク８３１より背面側の位置に支持される。
【０１４４】
また、第１リンク８３１は、取付部７３１３に代えて、孔部７３１１側の端部から突出する取付部８３１３を有し、当該取付部８３１３には、付勢部８３４の一端が取り付けられる取付孔８３１４が形成されている。この取付部８３１３は、上記第１リンク７３１における取付部７３１３より突出量が大きくなっている。これは、第１リンク８３１の回動時に、付勢部８３４が当該第１リンク８３１に当たることを抑制するためである。この取付部８３１３において第２リンク８３２側の端縁には、凹部８３１５が形成されている。
更に、第２リンク８３２は、当接部８４側の端部に、複数の歯により構成された噛合部８３２３を有する。この噛合部８３２３は、減衰機構６８の軸部６８２に設けられて、当該軸部６８２とともに回動するギアである噛合部６８４と噛合する（図３６においては、図示の都合上、噛合部８３２３，６８４が互いに噛合していないように見えるが、実際は互いに噛合している）。
これら第１リンク８３１及び第２リンク８３２では、各孔部７３１１，７３１２及び孔部７３２１の内側に、軸受ＢＲが設けられており、これらリンク８３１，８３２の回動が円滑に行われるように構成されている。
【０１４５】
［ベース部材の構成］
ベース部材８３３は、上記ベース部材７３３と同様に、第１リンク８３１、第２リンク８３２及び付勢部８３４を支持し、上記カバー部材８１の延出部７１２Ｒにおける下面に取り付けられる。このベース部材８３３は、円筒部７３３１，７３３２、挿通孔７３３３，７３３４、取付部７３３５及び起立部８３３６を有する。
これらのうち、起立部８３３６は、ベース部材８３３によってそれぞれ支持された第１リンク８３１側から第２リンク８３２側に向かって直線状に延出した後、円筒部７３３２の一部を囲む円弧状に形成されている。この起立部８３３６は、起立部７３３６，７３３７と同様に、回動された各リンク８３１，８３２の一部（例えば、上記凹部８３１２）と当接して、当該各リンク８３１，８３２の回動範囲を規定する。
【０１４６】
［付勢部の構成］
付勢部８３４は、上記付勢部７２５と同様に、引張ばね（引張コイルばね）によって構成され、一端が上記取付部８３１３（取付孔８３１４）に取り付けられ、他端が上記取付部７３３５に取り付けられる。これにより、付勢部８３４は、第１リンク８３１が＋Ｄ５方向に回動された場合（当接部８４全体がユーザーの頭部から離間する方向に第１リンク８３１が回動された場合）に、当該第１リンク８３１の回動方向とは反対方向（−Ｄ５方向）に回動させる付勢力を当該第１リンク８３１に作用させる。なお、付勢部８３４の付勢力に伴う頭部への当接部８４の押圧力については、後に詳述する。
【０１４７】
［当接部の構成］
当接部８４は、上記当接部６７Ｒ，７４と同様に、ユーザーの頭部（側頭部及び後頭部）に当接され、当該ユーザーの耳に懸架される部材である。この当接部８４全体は、接続された各リンク８３１，８３２の前方への回動とともに、前側で、かつ、左側テンプル８２Ｌ及び頭部に近い位置に移動され、当該各リンク８３１，８３２の後方への回動とともに、後側で、かつ、左側テンプル８２Ｌ及び頭部から離れた位置に移動される。このような当接部８４は、本体部８５、カバー８８及び規制部材８９を有する。
【０１４８】
［本体部の構成］
図３７は、リンク機構８３及び本体部８５を示す斜視図である。また、図３８及び図３９は、それぞれ背面側上方及び正面側下方から見た本体部８５を示す分解斜視図である。
本体部８５は、当接部８４の主要部を構成する。この本体部８５は、図３７〜図３９に示すように、接続部８６及びテンプルフレーム８７を有する。
【０１４９】
［接続部の構成］
接続部８６は、当接部８４において第１リンク８３１及び第２リンク８３２と接続される部位である。この接続部８６は、各リンク８３１，８３２の一部を上下から挟む一対の筐体部である上側筐体部８６１及び下側筐体部８６２が組み合わされて構成されており、これら筐体部８６１，８６２は、それぞれ合成樹脂により形成されている。そして、接続部８６は、当該筐体部８６１，８６２に形成された凹部によって構成される開口部８６０を有し、当該開口部８６０内には、各リンク８３１，８３２の一部が挿入される。
【０１５０】
上側筐体部８６１は、各リンク８３１，８３２を回動可能に支持する他、減衰機構６８を支持する。この上側筐体部８６１は、図３９に示すように、正面側に位置するボス８６１１と、背面側に位置するボス８６１２〜８６１５と、溝部８６１６と、を有する。
ボス８６１１は、下方に向かって突設されている。このボス８６１１は、第１リンク８３１の孔部７３１２内の軸受ＢＲに挿入される。これにより、第１リンク８３１が当接部８４（接続部８６）に回動可能に支持される。
【０１５１】
ボス８６１２は、リンク機構８３側で、かつ、正面側に形成されている。このボス８６１２は、第２リンク８３２の孔部７３２２に挿入される。これにより、第２リンク８３２が当接部８４（接続部８６）に回動可能に支持される。すなわち、ボス８６１１，８６１２は、回動支持部に相当する。
ボス８６１３，８６１４には、上記減衰機構６８が有する一対の孔部６８３を挿通するねじ（図示省略）がそれぞれ固定される。これらボス８６１３，８６１４は、上記ボス８６１１，８６１２から離間した位置に配置されている。すなわち、ボス８６１３，８６１４は、回動支持部に相当するボス８６１１，８６１２とは異なるボスであり、減衰機構支持部に相当する。
ボス８６１５には、下側筐体部８６２を挿通したねじが固定される。同様に、上記ボス８６１１，８６１２にも、下側筐体部８６２を挿通したねじが固定される。これにより、上側筐体部８６１と下側筐体部８６２とが組み合わされる。
溝部８６１６は、上側筐体部８６１においてリンク機構８３側とは反対側の側面に位置し、当該溝部８６１６には、後述するカバー８８の一部が挿入される。
【０１５２】
下側筐体部８６２は、図３８に示すように、上側筐体部８６１と組み合わされる他、一部に後述するカバー８８が取り付けられる。この下側筐体部８６２は、ボス８６２１〜８６２３、溝部８６２４及び被覆部８６２５を有する。
ボス８６２１は、上記ボス８６１１とともに、第１リンク８３１の孔部７３１２内の軸受ＢＲに挿入される。また、ボス８６２２は、上記ボス８６１２とともに、第２リンク８３２の孔部７３２２に挿入される。
ボス８６２３は、ボス８６１５に固定されるねじが下方から挿通する孔部を有する。なお、ボス８６２１，８６２２も、上記ボス８６１１，８６１２に固定されるねじが下方から挿通する孔部を有する。
【０１５３】
溝部８６２４は、下側筐体部８６２においてリンク機構８３側とは反対側の側面に位置する。この溝部８６２４は、挿入されたカバー８８の正面側の一部を、溝部８６１６とともに係止する。
被覆部８６２５は、カバー８８によって覆われる部位である。この被覆部８６２５は、テンプルフレーム８７が固定される部位であり、当該被覆部８６２５は、テンプルフレーム８７を挿通したねじ（図示省略）が固定される２つのねじ孔８６２６を有する。
【０１５４】
［テンプルフレームの構成］
テンプルフレーム８７は、本発明のフレーム部に相当し、図３７に示すように、被覆部８６２５から背面側に延出するように、当該被覆部８６２５に固定される。このテンプルフレーム８７は、可撓性を有する材料により円弧状に形成され、本実施形態では、金属により形成されている。このようなテンプルフレーム８７は、固定部８７１、湾曲部８７３、延出部８７４及び被取付部８７５を有する。
【０１５５】
固定部８７１は、テンプルフレーム８７において接続部８６（被覆部８６２５）に固定される部位である。この固定部８７１は、上記２つのねじ孔８６２６に応じた位置に２つの挿通孔８７２を有する。これら挿通孔８７２を挿通したねじが、当該ねじ孔８６２６に固定されることによって、テンプルフレーム８７は、下側筐体部８６２（被覆部８６２５）に固定される。すなわち、固定部８７１は、接続部８６に対するテンプルフレーム８７の固定位置である。
【０１５６】
湾曲部８７３は、上記固定部８７１近傍で、かつ、当該固定部８７１より背面側に位置し、左側テンプル８２Ｌとは反対側に円弧状に湾曲している。この湾曲部８７３は、一部が被覆部８６２５における背面側の端部に当接しており、当該湾曲部８７３から背面側に延出する延出部８７４が撓む際の支点となる。このような湾曲部８７３が円弧状に湾曲していることにより、延出部８７４が撓みやすくなる他、支点となる湾曲部８７３の強度を高めることができる。
なお、このような湾曲部８７３は、テンプルフレーム８７に１つだけでなく、複数設けられていてもよい。すなわち、テンプルフレーム８７は、複数の湾曲部８７３を有する波状に形成されていてもよい。この場合、テンプルフレーム８７（延出部８７４）を一層撓みやすく構成できる。
【０１５７】
延出部８７４は、上記のように、接続部８６から湾曲部８７３とともに背面側に延出する部位である。この延出部８７４は、背面側に向かうに従って他方のテンプルである左側テンプル８２Ｌ側に円弧状に湾曲した形状を有する。そして、延出部８７４は、上記湾曲部８７３を支点として左側テンプル８２Ｌと側とは反対側に撓むことができる。
【０１５８】
被取付部８７５は、延出部８７４の先端に位置する。この被取付部８７５は、テンプルフレーム８７において厚さ方向（頭部から離間する方向であり、延出部８７４の延出方向に交差する方向）の寸法が最も大きく形成されている。具体的に、被取付部８７５は、延出部８７４を左側テンプル８２Ｌ（ユーザーの頭部）とは反対側に折り返した略Ｕ字状に形成されている。この被取付部８７５には、後述する規制部材８９が取り付けられる。このような被取付部８７５は、第１係止部８７６及び第２係止部８７７を有する。
【０１５９】
第１係止部８７６は、上記略Ｕ字状の先端に位置し、左側テンプル８２Ｌ及びユーザーの頭部とは反対側に突出する段差形状に形成されている。この第１係止部８７６は、当該段差形状によって、延出部８７４の延出方向に交差する方向の寸法が大きくなっている。このような第１係止部８７６は、延出部８７４を覆うカバー８８が取り付けられた際に、当該カバー８８の端部を係止する。
第２係止部８７７は、第１係止部８７６と延出部８７４の折返部分との間に位置する。この第２係止部８７７は、被取付部８７５に取り付けられた規制部材８９を係止する突出部である。
【０１６０】
［カバーの構成］
図４０及び図４１は、当接部８４をリンク機構８３とは反対側から見た斜視図及び分解斜視図である。
カバー８８は、テンプルフレーム８７を覆うように本体部８５に取り付けられ、ユーザーの頭部（側頭部から後頭部に掛けた部位）に接触する部材である。このカバー８８は、図４０及び図４１に示すように、カバー本体８８０と、挿通口８８１、延出部８８２及び拡張部８８３と、を有する。
カバー本体８８０は、接続部８６側から後方に向かうに従って外径が細くなる筒状に形成されている。
【０１６１】
挿通口８８１は、カバー本体８８０の長手方向に沿って当該カバー本体８８０を貫通する孔部である。この挿通口８８１は、カバー８８が本体部８５に取り付けられる際に、テンプルフレーム８７が挿通される。この際、テンプルフレーム８７の上記被取付部８７５は、カバー８８（カバー本体８８０）の背面側の端部から外側に露出される。この状態で、カバー８８は、上記第１係止部８７６によって係止される。すなわち、カバー８８は、テンプルフレーム８７に対して挿抜されるようにして、本体部８５に着脱可能である。
延出部８８２は、カバー本体８８０から正面側に延出した部位である。この延出部８８２は、接続部８６の溝部８６１６，８６２４内に挿入されて係止される。
【０１６２】
図４２は、ＨＭＤ１Ｂを下方から見た図である。
拡張部８８３は、カバー本体８８０から下方に垂下した部位である。この拡張部８８３は、ユーザーの側頭部と耳との間に配置されて、当該耳（例えば耳の付け根の上部）に載せられる部位であり、カバー８８においてユーザーの頭部に接触する接触面積を拡大する部位でもある。すなわち、拡張部８８３は、当接部８４の位置を安定させる位置安定部として機能する部位である。
この拡張部８８３は、図４２に示すように、カバー本体８８０においてユーザーの側頭部側の部位に、下方に向かうに従って幅寸法（左右方向である＋Ｘ方向に沿う寸法）が小さくなるように形成されている。このため、ユーザーの頭部のサイズに依らずに、拡張部８８３を側頭部に当接しやすい構成となっている他、ユーザーによって形状が異なる耳の付け根の上部に載せやすくなっている。更に、このような構成により、当接部８４における後部（テンプルフレーム８７及びカバー８８が位置する部位）を曲げる場合であっても、拡張部８８３の存在によって曲げにくくなることが抑制されている。
なお、拡張部８８３は、下方に向かうに従って幅寸法が小さくなる略錐形状（略錐台形状）に形成されているが、当該幅寸法が略変化しない板状であってもよい。
【０１６３】
図４３は、ユーザーＵＳに装着されたＨＭＤ１Ｂを示す右側面図である。なお、図４３においては、平均的な成人女性の頭部ＨＥの形状及び耳ＥＡ１の位置を実線によって示し、当該成人女性より頭部が小さい子供の耳ＥＡ２の位置を点線によって示し、当該成人女性より頭部が大きい平均的な成人男性の耳ＥＡ３の位置を二点鎖線によって示している。
このような拡張部８８３は、図４３に示すように、正面側から順に、傾斜部８８３１〜８８３４を下側外縁に有する。
【０１６４】
傾斜部８８３１は、拡張部８８３において最も正面側に位置し、カバー本体８８０から後方に向かうに従って当該カバー本体８０から離間するように傾斜した部位である。
傾斜部８８３２は、傾斜部８８３１における背面側端部から後方に向かうに従ってカバー本体８８０に近接するように傾斜した部位である。
傾斜部８８３３は、傾斜部８８３２における背面側端部から後方に向かうに従ってカバー本体８８０から離間するように傾斜した部位である。
傾斜部８８３４は、拡張部８８３において最も背面側に位置し、傾斜部８８３３における背面側端部から後方に向かうに従ってカバー本体８８０に近接するように傾斜した部位である。
なお、本実施形態では、傾斜部８８３２，８８３３は、一体の円弧状に形成されているが、それぞれ直線状であってもよい。
このような拡張部８８３においては、傾斜部８８３１における背面側端部が、カバー本体８８０からの下方への突出量が最も大きい部位であり、次いで、傾斜部８８３３における背面側端部が、カバー本体８８０からの下方への突出量が大きい部位である。すなわち、傾斜部８８３２における背面側端部は、傾斜部８８３１，８８３３のそれぞれにおける背面側端部より、カバー本体８８０からの突出量は小さい。
【０１６５】
このようなカバー８８を有するＨＭＤ１Ｂが、平均的な頭部の大きさを有する成人女性に装着される場合には、図４３において実線で示す耳ＥＡ１の付け根の上部に、傾斜部８８３２における後方側の部位が当接する。
また、ＨＭＤ１Ｂが、成人女性より頭部が小さい子供に装着される場合には、図４３において点線で示す耳ＥＡ２の付け根の上部に、傾斜部８８３２における正面側の部位が当接する。
一方、ＨＭＤ１Ｂが、成人女性より頭部が大きい平均的な成人男性に装着される場合には、図４３において二点鎖線で示す耳ＥＡ３の付け根の上部に、傾斜部８８３３が当接する。
すなわち、ユーザーの頭部の大きさに依らずに、傾斜部８８３２，８８３３のいずれかの部位に、当該ユーザーの耳が当接するように、拡張部８８３は構成されている。
【０１６６】
このような形状に拡張部８８３が形成されていることにより、頭部の大きさや耳の位置が異なる複数のユーザーがＨＭＤ１Ｂを装着する場合でも、当接部８４を一定の配置状態（例えばユーザーの視方向と略平行となる配置状態）に維持しやすくすることができる。また、これにより、自然に前を見た場合に外界と画像光に基づく画像とを視認しやすい角度となる位置（例えば、視方向を水平方向に沿わせた場合にユーザーの眼に入射される画像光の光路と当該視方向との交差角が５°となる位置）に、光学装置４Ｌ，４Ｒ（特に導光部材４７Ｌ，４７Ｒ）を位置させやすくすることができる。
更に、当接部８４がユーザーの視方向と略平行となるように配置できることから、テンプルフレーム８７や後述する規制部材８９によってＨＭＤ１Ｂの重心位置を、後方側に位置させやすくすることができる。このような効果は、当該視方向及び当接部８４のそれぞれが略水平方向に沿う場合に、特に有効である。従って、ユーザーの頭部の形状や大きさに依らずに、ノーズパッドＮＰを介してユーザーの鼻に加わる荷重を低減できる。
加えて、上記のように、傾斜部８８３２，８８３３が一体の円弧状に形成されていることにより、耳との接触面積を拡大しやすくすることができる。
【０１６７】
なお、上記説明では、拡張部８８３は、ユーザーの耳の付け根の上部に当接するとしたが、ユーザーの耳に当接すればよく、当該拡張部８８３が当接する耳の部位は問わない。更に、ＨＭＤ１Ｂが頭部に安定して装着されるのであれば、当該頭部に対する拡張部８８３の接触位置は、耳でなくてもよい。
また、拡張部８８３は、上記傾斜部８８３１〜８８３４を有し、傾斜部８８３２，８８３３が一体の円弧状に形成されていた。しかしながら、これに限らず、傾斜部８８３１〜８８３４のそれぞれは、直線状でもよく円弧状でもよい。更に、拡張部８８３は、頭部（例えば耳）に当接可能な円弧状部位を複数有する構成でもよい。加えて、拡張部８８３は、後方に向かうに従ってカバー本体８８０からの突出量が小さくなる（細くなる）側面視略三角形状に形成されていてもよい。
【０１６８】
このようなカバー８８とテンプルフレーム８７との間には、シール部材ＳＭが配置される。このシール部材ＳＭは、テンプルフレーム８７とカバー８８の内面との間に隙間が生じることを抑制するものであり、本実施形態では、カバー８８の内部に設けられている。しかしながら、これに限らず、テンプルフレーム８７の外面に設けてもよい。
【０１６９】
［規制部材の構成］
規制部材８９は、被取付部８７５に着脱可能に取り付けられる。この規制部材８９は、被取付部８７５に取り付けられることによって、本体部８５からのカバー８８の脱落を規制し、また、被取付部８７５から取り外されることによって、本体部８５からのカバー８８の取り外しを可能とする。このような規制部材８９は、被取付部８７５が挿入される開口部８９１を有し、当該開口部８９１の内面が上記第２係止部８７７によって係止されることによって、被取付部８７５からの意図しない脱落が抑制される。
【０１７０】
［当接部による頭部への押圧力］
図４４は、リンク機構８３と当接部８４とを拡大して示す平面図である。
右側テンプル８２Ｒでは、付勢部８３４による−Ｄ５方向への付勢力によって、当該付勢部８３４と接続される第１リンク８３１を介して、当接部８４は、左側テンプル８２Ｌ及びユーザーの頭部に近接する方向に付勢される。この当接部８４が頭部に当接した際に作用する押圧力は、第１リンク８３１の回動状態（換言すると、当接部８４の位置）によって大きく変化せずに、所定の範囲内の値となるように、右側テンプル８２Ｒは構成されている。
具体的に、図４４に示すように、第１リンク８３１の回動中心（孔部７３１１の中心）から、取付部８３１３において付勢部８３４の一端が取り付けられる取付位置（取付孔８３１４）に向かう方向を、Ｄ７方向（第１方向）とすると、当該Ｄ７方向は、当接部８４が上記第１位置と第２位置との間の範囲内に位置する際に、引張コイルばねである付勢部８３４の軸方向と交差する（略直交）する。換言すると、Ｄ７方向は、当該付勢部８３４の軸方向に沿い、かつ、上記取付孔８３１４からベース部材８３３の取付部７３３５に向かう方向であるＤ８方向（第２方向）に対して交差（略直交）する。
【０１７１】
ここで、付勢部８３４による付勢力は、第１リンク８３１が＋Ｄ５方向（当接部８４が頭部から離間する方向）に回動して、付勢部８３４の伸長方向の寸法が大きくなるに従って大きくなる。すなわち、当該付勢力は、第１リンク８３１が＋Ｄ５方向に回動するに従って大きくなる。
一方、取付部８３１３に上記Ｄ８方向に沿って作用して、第１リンク８３１を−Ｄ５方向に回動させるのに必要な力（必要回動力）は、上記Ｄ７方向とＤ８方向との交差角が大きくなるほど大きくなる。すなわち、当該必要回動力は、第１リンク８３１が＋Ｄ５方向に回動するに従って大きくなる。
そして、第１リンク８３１の−Ｄ５方向への回動に伴って当接部８４がユーザーの頭部を押圧する押圧力は、付勢部８３４による付勢力と、上記必要回動力とを合成した力である。すなわち、当該押圧力は、付勢部８３４による付勢力から当該必要回動力を減算した値である。
これによれば、第１リンク８３１の回動状態、すなわち、当接部８４の位置に依らずに、当該当接部８４による頭部への押圧力を一定の範囲内の値に設定できる。従って、当接部８４の位置によって、当該当接部８４が当接する頭部の大きさによって押圧力が変化することを抑制できる。
【０１７２】
［左側テンプルの構成］
左側テンプル８２Ｌは、図３１及び図３２に示したように、ユーザーの頭部に対して左側に位置し、当該ユーザーの左側頭部及び後頭部に当接されて、右側テンプル８２Ｒとともにユーザーの頭部を挟持する。この左側テンプル８２Ｌは、右側テンプル８２Ｒと鏡面対称に構成されており、詳しい図示を省略するが、第１リンク８３１、第２リンク８３２、ベース部材８３３及び付勢部８３４を有するリンク機構８３と、本体部８５、カバー８８及び規制部材８９を有する当接部８４と、減衰機構６８と、を有する。
そして、左側テンプル８２Ｌは、右側テンプル８２Ｒと同様に動作する。そして、テンプル８は、上記テンプル７と同様に機能し、右側テンプル８２Ｒ及び左側テンプル８２Ｌが、頭部を挟持する。
【０１７３】
［第３実施形態の効果］
以上説明した本実施形態に係るＨＭＤ１Ｂによれば、上記ＨＭＤ１，１Ａと同様の効果を奏することができる他、以下の効果を奏することができる。
右側テンプル８２Ｒにおいて、当接部８４は、減衰対象リンクである第２リンク８３２を回動可能に支持する回動支持部としてのボス８６１２と、減衰機構６８を支持する減衰機構支持部としてのボス８６１３，８６１４と、を有する。これらボス８６１２〜８６１４は、それぞれ異なる位置に配置され、減衰機構６８及び第２リンク８３２は、互いに噛み合う噛合部６８４，８３２３を有する。これによれば、噛合部６８４，８３２３同士が噛合すれば、第２リンク８３２の回動力を減衰機構６８に伝達できるので、当該第２リンク８３２が減衰機構６８によって支持される場合に比べて、これらを係合しやすくすることができる。また、ボス８６１２〜８６１４が、上側筐体部８６１において互いに異なる位置に配置されていることにより、減衰機構６８が第２リンク８３２を支持する場合に比べて、当該第２リンク８３２の回動に伴う減衰機構６８の負荷を軽減できる。従って、ＨＭＤ１Ｂの長寿命化を図ることができる。
なお、右側テンプル８２Ｒと同様の構成を有する左側テンプル８２Ｌも、上記と同様の効果を奏することができる。
【０１７４】
当接部８４は、第１リンク８３１及び第２リンク８３２のそれぞれの一部を上下方向に沿って挟む一対の筐体部（上側筐体部８６１及び下側筐体部８６２）を有し、回動支持部及び減衰機構支持部としてのボス８６１２〜８６１４は、上側筐体部８６１に位置する。これによれば、上側筐体部８６１に各リンク８３１，８３２及び減衰機構６８を取り付けた後に、当該上側筐体部８６１に下側筐体部８６２を取り付けることによって、当接部８４を構成できる。従って、当接部８４の組立を簡略化できる。
【０１７５】
付勢部８３４は、一端が付勢対象リンクである第１リンク８３１の取付孔８３１４と係合し、他端がベース部材８３３の取付部７３３５と係合する引張ばね（引張コイルばね）である。そして、第１リンク８３１は、当接部８４が上記第１位置と上記第２位置との間の範囲内に位置する際に、ベース部材８３３に対する第１リンク８３１の回動中心（孔部７３１１の中心）から付勢部８３４の一端が係合する取付位置としての取付孔８３１４に向かう方向であるＤ７方向と、当該付勢部８３４の軸方向に沿うＤ８方向とは、交差する。これによれば、上記のように、第１リンク８３１の回動状態、すなわち、当接部８４の位置に依らずに、上記押圧力を一定の範囲内の値とすることができる。すなわち、ＨＭＤ１Ｂを装着するユーザーの頭部の大きさに依らずに、略一定の押圧力を当該頭部に付与できる。従って、頭部の大きさによって受けるユーザーの負荷を軽減できる。
【０１７６】
第１リンク８３１は、第１リンク側第１回動部としての孔部７３１１と、当接部８４に回動可能に支持される第１リンク側第２回動部としての孔部７３１２と、を有する。また、第２リンク８３２は、第２リンク側第１回動部としての孔部７３２１と、当接部８４に回動可能に支持される第２リンク側第２回動部としての孔部７３２２と、を有する。これらのうち、孔部７３１１，７３１２，７３２１は、軸受ＢＲを介して、ベース部材８３３及び当接部８４に支持される。これによれば、各リンク８３１，８３２の回動による当該各リンク８３１，８３２、ベース部材８３３及び当接部８４の摩耗を抑制できる他、当該各リンク８３１，８３２の回動を円滑に行うことができる。
【０１７７】
当接部８４は、本体部８５と、当該本体部８５に対して着脱可能に設けられて、本体部８５の少なくとも一部を覆うカバー８８と、を有する。これによれば、ユーザーの頭部に接触するカバー８８を、必要に応じて交換することによって、当該ＨＭＤ１Ｂを清浄な状態に保つことができる。
なお、このようなカバー８８は、頭部に接触することから劣化が比較的進行しやすいと考えられる。このようにカバー８８が劣化すると、ＨＭＤ１Ｂの装着感が損なわれる可能性がある。これに対し、必要に応じてカバー８８が交換されることにより、当該装着感が損なわれることを抑制できる。
これらの効果は、１つのＨＭＤ１Ｂを複数のユーザーが使用する場合に特に有効である。
【０１７８】
本体部８５は、第１リンク８３１及び第２リンク８３２と接続される接続部８６と、一端が接続部８６に固定されて、当該接続部８６から延出するテンプルフレーム８７と、を有する。このテンプルフレーム８７は、上記のように、可撓性を有する。これによれば、テンプルフレーム８７の可撓性によって、ユーザーの頭部の形状に合わせて当接部８４を変形させることができる。従って、当該頭部に沿うように当接部８４を配置できる他、ＨＭＤ１Ｂの装着感を向上させることができる。
【０１７９】
ここで、湾曲部８７３がない構成を想定すると、テンプルフレーム８７が撓む場合、固定部８７１（接続部８６との固定位置）に負荷が加わりやすい。このため、当該固定部８７１や、接続部８６とテンプルフレーム８７とを固定する固定構造が変形したり劣化したりする場合を考慮して、当該固定部８７１や固定構造を強化する必要がある。なお、本実施形態では、テンプルフレーム８７は、接続部８６に対してねじによって固定されているが、他の固定構造が採用される場合も同様である。
これに対し、テンプルフレーム８７は、接続部８６と固定される固定部８７１に対して、当該接続部８６からのテンプルフレーム８７の延出方向の先端側に位置する湾曲部８７３を有する。これによれば、テンプルフレーム８７（延出部８７４）が撓む際に、当該テンプルフレーム８７が撓む位置を湾曲部８７３に規定できるので、固定部８７１や上記固定構造を強化する必要がない。そして、当該湾曲部８７３が湾曲していることから、テンプルフレーム８７の撓む位置の強度を高めることができる。更に、テンプルフレーム８７が撓みやすくなることから、テンプルフレーム８７、ひいては、当接部８４を頭部の形状に沿うように変形させやすくすることができる。
【０１８０】
当接部８４は、テンプルフレーム８７とカバー８８との間にシール部材ＳＭを有する。これによれば、テンプルフレーム８７とカバー８８との間に隙間が生じることを抑制できる。従って、カバー８８が変形する等して、ＨＭＤ１Ｂの装着感が損なわれることを抑制できる。
【０１８１】
テンプルフレーム８７は、金属により形成されている。これによれば、テンプルフレーム８７、ひいては、当接部８４の強度を高めることができる。この他、当該当接部８４における背面側の部位が重くなるので、テンプルフレーム８７にカウンターウェイトとしての機能を持たせることができる。従って、ＨＭＤ１Ｂの装着感を向上させることができるだけでなく、当該ＨＭＤ１Ｂを使用するユーザーの疲労感を軽減できる。
【０１８２】
カバー８８は、テンプルフレーム８７が挿通される挿通口８８１を有する。また、当接部８４は、挿通口８８１にテンプルフレーム８７が挿通されたカバー８８の脱落を規制する規制部材８９を有する。これによれば、カバー８８は、挿通口８８１をテンプルフレーム８７が挿通するように装着されるので、当該カバー８８をテンプルフレーム８７、ひいては、本体部８５に容易に装着できる。また、規制部材８９によってカバー８８の脱落が規制されるので、意図せずにカバー８８が本体部８５から脱落することを抑制できる。
【０１８３】
テンプルフレーム８７は、接続部８６からのテンプルフレーム８７の延出方向先端部に、規制部材８９が取り付けられる被取付部８７５を有し、当該被取付部８７５は、テンプルフレーム８７の他の部位より厚さ寸法が大きい。これによれば、被取付部８７５から規制部材８９が脱落することを抑制でき、ひいては、テンプルフレーム８７からカバー８８が脱落することを確実に抑制できる。
【０１８４】
被取付部８７５は、テンプルフレーム８７（延出部８７４）の一部を、ユーザーの頭部に近接する側とは反対側に折り曲げて形成されている。これによれば、規制部材８９の脱落を抑制できる被取付部８７５を簡易に構成できる。この他、当接部８４における背面側の部位が重くなるので、当該被取付部８７５をＨＭＤ１Ｂにおけるカウンターウェイトとして機能させることができる。
【０１８５】
［第４実施形態］
次に、本発明の第４実施形態について説明する。
本実施形態に係るＨＭＤは、上記ＨＭＤ１と同様の構成を有するが、テンプルの構成が異なる。なお、以下の説明では、既に説明した部分と同一又は略同一である部分については、同一の符号を付して説明を省略する。
【０１８６】
図４５は、本実施形態に係るＨＭＤ１Ｃが有するテンプル９を上方から見た図である。
本実施形態に係るＨＭＤ１Ｃは、図４５に示すように、テンプル７に代えてテンプル９を備える他は、上記ＨＭＤ１Ａと同様の構成及び機能を有する。
【０１８７】
［テンプルの構成］
テンプル９は、上記テンプル７と同様に、カバー部材９１と、右側テンプル９２Ｒ及び左側テンプル（図示省略）と、を有する。なお、左側テンプルは、図示を省略するが、右側テンプル９２Ｒと鏡面対称に構成されていることから、当該左側テンプルについては、説明を省略する。
【０１８８】
［カバー部材の構成］
カバー部材９１は、上記カバー部材７１と同様に、略Ｕ字状に形成されており、画像表示部２（ケース部材３２Ｌ，３２Ｒ）に取り付けられる。そして、カバー部材９１は、フロント部３１１及びケース部材３２Ｌ，３２Ｒを上方から覆う他、側面部３１２Ｌ，３１２Ｒを外側から覆う。
【０１８９】
このようなカバー部材９１は、それぞれ外装部としてのフロント部７１１、延出部７１２Ｌ，７１２Ｒ及び側面部７１３Ｌ，７１３Ｒと、固定部７１４Ｌ，７１４Ｒ、凹部７１５及び開口部７１６と、を有する（図４３では、延出部７１２Ｌ、側面部７１３Ｌ及び固定部７１４Ｌの図示は省略）。この他、カバー部材９１は、伸縮部材９２１，９２２が配置されて、当該伸縮部材９２１，９２２を介して当接部９２３を支持する支持部としての配置部９１１，９１２を有する。
配置部９１１，９１２は、延出部７１２Ｒの下面に位置し、内部に伸縮部材９２１，９２２の一端がそれぞれ配置される孔部である。これら配置部９１１，９１２は、ユーザーの頭部側、すなわち、右側テンプル９２Ｒを構成する当接部９２３側に開口している。
なお、図示を省略するが、延出部７１２Ｌの下面にも、左側テンプルを構成する当接部側に開口し、内部に伸縮部材９２１，９２２と同様の伸縮部材が配置される２つの配置部が位置する。
このように、カバー部材９１は、右側テンプル９２Ｒを支持する右側支持部、及び、左側テンプルを支持する左側支持部であるとともに、フレーム３（フレーム本体３１及びケース部材３２Ｌ，３２Ｒ）の上方及び側方を覆ってＨＭＤ１Ｃの外装を構成する外装部を構成する。
【０１９０】
［右側テンプルの構成］
右側テンプル９２Ｒは、上記右側テンプル７２Ｒ，８２Ｒと同様に、ユーザーの右側頭部及び後頭部（詳しくは後頭部における右側の部位）に当接され、左側頭部及び後頭部（詳しくは後頭部における左側の部位）に当接される左側テンプルとともに、当該ユーザーの頭部を挟持する。この右側テンプル９２Ｒは、上記配置部９１１，９１２内に一端が配置される伸縮部材９２１，９２２と、これら伸縮部材９２１，９２２に接続される当接部９２３と、を有する。
なお、上記のように、左側テンプルは、右側テンプル９２Ｒと鏡面対称に構成され、当該右側テンプル９２Ｒと同様に、伸縮部材９２１，９２２及び当接部９２３を有する。
【０１９１】
伸縮部材９２１，９２２は、それぞれ、一端が配置部９１１，９１２内に配置され、他端が当接部９２３内に配置されて、これらカバー部材９１と当接部９２３とを接続する。この伸縮部材９２１，９２２は、それぞれ伸縮することによって、カバー部材９１に対して当接部９２３全体を接離する方向に移動可能とする他、当接部９２３全体をカバー部材９１（延出部８１２Ｒ）から離間する方向、すなわち、ユーザーの頭部に近接する方向に付勢する。このような伸縮部材９２１，９２２は、本実施形態では、それぞれ圧縮コイルばね及び棒状部材が組み合わされたロッドスプリングにより構成されている。
【０１９２】
当接部９２３は、上記当接部７４，８４と同様に、ユーザーの右側頭部及び後頭部に当接され、当該ユーザーの耳に懸架される部材である。この当接部９２３は、伸縮部材９２１，９２２と接続される本体部９２３１と、当該本体部９２３１に設けられた当接片７４５と、を有する。
本体部９２３１は、上記本体部７４１と同様に、ケース部材３２Ｒ（上部ケース３２１の側面部３２１Ｂ）に対向配置される。この本体部９２３１は、上記伸縮部材９２１，９２２の他端が配置される孔部である配置部９２３２，９２３３を有する。
なお、伸縮部材９２１と伸縮部材９２２とは、それぞれ略平行に配置されるが、一端側（配置部９１１，９１２に配置される端部側であり、カバー部材９１との係合位置側）から他端側（配置部９２３２，９２３３に配置される端部側であり、当接部９２３との係合位置側）に向かうに従って前方に位置するように、前後方向及び左右方向に対して傾斜して配置されている。なお、伸縮部材９２１，９２２は、更に、一端側から他端側に向かうに従って上方又は下方に位置するように、上下方向に対して傾斜して配置されてもよい。
【０１９３】
このような右側テンプル９２Ｒと、当該右側テンプル９２Ｒに対して鏡面対称な左側テンプルとが、ＨＭＤ１Ｃに設けられている。このため、右側テンプル９２Ｒ及び左側テンプルのそれぞれの当接部全体を、カバー部材９１の延出部７１２Ｌ，７１２Ｒに対して最も離間させた第１位置（頭部に最も近接した第１位置）から、当該延出部７１２Ｌ，７１２Ｒに対して最も近接させた第２位置（頭部から最も離間した第２位置）までの範囲で移動させることができる。これにより、当該ＨＭＤ１Ｃが装着されるユーザーの頭部の大きさに依らずに、各当接部９２３を側頭部及び後頭部に適切な付勢力で当接させることができる。従って、ユーザーの頭部を各当接部９２３によって挟持することができ、ＨＭＤ１Ｃを当該頭部に確実に装着させることができる。
なお、本実施形態では、各当接部９２３の移動は、上記第１位置から上記第２位置の間での平行移動である。しかしながら、これに限らず、各当接部９２３は、第１位置側から第２位置側に移動するに従って各当接部９２３の後端間の間隔が一層広がるように、伸縮部材９２１，９２２の一方との係合位置を中心として回動してもよい。
【０１９４】
［第４実施形態の効果］
以上説明した本実施形態に係るＨＭＤ１Ｃによれば、上記ＨＭＤ１，ＨＭＤ１Ａ，ＨＭＤ１Ｂと同様の効果を奏することができる他、以下の効果を奏することができる。
すなわち、右側支持部として機能するカバー部材９１は、右側テンプル９２Ｒを構成する伸縮部材９２１，９２２を支持し、ひいては、これら伸縮部材９２１，９２２に接続された当接部９２３（対象当接部）を支持する。また、左側支持部としても機能する当該カバー部材９１は、図示を省略したが、右側テンプル９２Ｒと鏡面対称に構成された左側テンプルを構成する伸縮部材９２１，９２２を支持し、ひいては、これら伸縮部材９２１，９２２に接続された当接部９２３（対象当接部）を支持する。そして、それぞれ対応する伸縮部材９２１，９２２によって、各当接部９２３全体が、上記した第１位置及び第２位置の間で移動可能となる。これら当接部９２３がそれぞれ第１位置に位置する場合の各当接部９２３間の左右方向における寸法より、第２位置に位置する場合の当該寸法は、大きくなる。これによれば、各当接部９２３間にユーザーＵＳの頭部が位置することによって、これら当接部９２３全体を、左右方向の大きさが異なる頭部の大きさに応じた位置（側頭部）に確実に当接させることができる。従って、頭部の大きさによって当該頭部と各当接部９２３との接触面積が変化することを抑制でき、当該接触面積を略一定に維持できるので、ＨＭＤ１Ｃを頭部に安定して装着させることができる。
なお、左右の当接部９２３のうち、一方の当接部が固定され、他方の当接部全体が上記構成によって移動可能である場合でも、当該他方の当接部全体が頭部に対して近接及び離間する方向に移動可能であることにより、上記効果を奏することができる。
【０１９５】
ここで、上記のように、ＨＭＤの重心は、比較的前側に位置する。このため、伸縮部材９２１，９２２が、一端側（カバー部材９１との係合位置側）から他端側（当接部９２３との係合位置側）に向かうに従って後方に位置するように、前後方向及び左右方向に対して傾斜して配置されていると、ＨＭＤを装着した際にユーザーの頭部が当接部９２３を押し返す力の向きが前向きになってしまう。この場合、ユーザーが顔を下に向ける等した際に、ＨＭＤが頭部から前側に脱落する可能性がある。
これに対し、伸縮部材９２１，９２２は、上記一端側から上記他端側に向かうに従って前方に位置するように、前後方向及び左右方向に対して傾斜して配置されている。これによれば、ユーザーの頭部が当接部９２３を押し返す力の向きを後向きにすることができる。従って、ＨＭＤ１Ｃが頭部から脱落することを抑制でき、当該ＨＭＤ１Ｃを頭部に安定して装着させることができる。
また、当接部９２３が第１位置に位置する場合、当該当接部９２３は、他方の当接部９２６及びユーザーの頭部に近接する側で、かつ、前側に位置することとなる。そして、当接部９２３が第２位置に位置する場合、当該当接部９２３は、他方の当接部９２３及びユーザーから離間する側で、かつ、後側に位置することとなる。これにより、頭部の大きさに依らずに、各当接部９２３を側頭部及び後頭部に適切に当接させることができる。
【０１９６】
［実施形態の変形］
本発明は、上記各実施形態に限定されるものではなく、本発明の目的を達成できる範囲での変形、改良等は本発明に含まれるものである。
上記第１実施形態では、画像表示部２に、左右のテンプル６Ｌ，６Ｒが設けられ、上記第２及び第３実施形態では、画像表示部２に取り付けられるカバー部材７１，８１に、左側テンプル７２Ｌ，８２Ｌ及び右側テンプル７２Ｒ，８２Ｒが設けられた。また、上記第４実施形態では、画像表示部２に取り付けられるカバー部材９１に、左側テンプル及び右側テンプル９２Ｒが設けられた。すなわち、画像表示部２の左右に、当接部が移動可能に設けられていた。しかしながら、これに限らず、ユーザーの頭部（側頭部）にそれぞれ当接される左右の当接部のうち、一方の当接部は固定され、他方の当接部が移動可能に設けられていてもよい。また、頭部における当接部の当接部位も、側頭部に当接すればよく、必ずしも側頭部から後頭部にかけた範囲でなくてもよい。更に、当接部は、耳に懸架されなくてもよい。
【０１９７】
上記第１実施形態では、テンプル６Ｌ，６Ｒは、当接部６７Ｒ，６７Ｌ全体を左右方向及び前後方向に移動させる第１リンク６４Ｌ，６４Ｒ及び第２リンク６５Ｌ，６５Ｒを有するとした。上記第２及び第３実施形態では、テンプル７，８は、各当接部７４，８４全体を左右方向及び前後方向に移動させる第１リンク７３１，８３１及び第２リンク７３２，８３２を有するとした。上記第４実施形態では、テンプル９は、各当接部９２３全体を左右方向及び前後方向に移動させる伸縮部材９２１，９２２を有するとした。しかしながら、これらに限らず、ユーザーの頭部に当接される当接部を左右方向及び前後方向に移動させる構成は、例えばレール部材及びスライド部材の組合せ等、他の構成でもよい。更に、当接部は、全体が少なくとも頭部に対して接離する方向である左右方向に移動可能であれば、前後方向に移動しなくてもよく、上下方向に移動してもよい。
【０１９８】
また、第１リンク６４Ｌ，６４Ｒ及び第２リンク６５Ｌ，６５Ｒと、第１リンク７３１，８３１及び第２リンク７３２，８３２と、伸縮部材９２１，９２２とは、それぞれ、画像表示部２において上側（ケース部材３２Ｒ，３２Ｌに対する上側）の部位に設けられていた。これに対し、これらは、画像表示部２において下側（ケース部材３２Ｒ，３２Ｌに対して下側）の部位や、略中央（上下方向におけるケース部材３２Ｒ，３２Ｌの略中央）の部位に設けられていてもよい。また、これらを支持する支持部の画像表示部２に対する位置も、適宜変更可能であり、例えばカバー部材７１，８１，９１は、画像表示部２（フレーム３）を下側から覆うように、当該画像表示部２に設けられてもよい。
【０１９９】
上記第１実施形態では、第１リンク６４Ｒと第２リンク６５Ｒとは、当接部６７Ｒが第１位置に位置する場合に、外側カバー６１Ｒ及び内側カバー６２Ｒとの係合位置からの延出方向がそれぞれ平行であるとし、第１リンク６４Ｌ及び第２リンク６５Ｌも同様であるとした。上記第２及び第３実施形態では、右側テンプル７２Ｒ，８２Ｒをそれぞれ構成する第１リンク７３１，８３１と第２リンク７３２，８３２とは、当接部７４，８４が第１位置に位置する場合に、ベース部材７３３，８３３とのそれぞれの係合位置からの延出方向がそれぞれ平行であるとし、左側テンプル７２Ｌを構成する第１リンク７３１，８３１及び第２リンク７３２，８３２も同様であるとした。上記第４実施形態では、右側テンプル９２Ｒをそれぞれ構成する伸縮部材９２１，９２２は、それぞれ平行に配置されるとした。しかしながら、これに限らず、一方のリンクと他方のリンクとは、上側（又は下側）から見てそれぞれの延出方向（第１リンク７３１，８３１及び第２リンク７３２，８３２においては屈曲部分を除いた部分の延出方向）が平行であれば、上下にずれて配置されていてもよい。同様に、伸縮部材９２１，９２２も、一方が他方に対して上下にずれて配置されていてもよい。
【０２００】
上記第４実施形態では、伸縮部材９２１，９２２は、カバー部材９１との係合位置から当接部９２３との係合位置に向かうに従って前側に位置するように傾斜して配置されるとした。しかしながら、これに限らず、伸縮部材９２１，９２２の配置は適宜変更可能である。例えば、伸縮部材９２１，９２２は、上記のように、カバー部材９１との係合位置から当接部９２３との係合位置に向かうに従って後側に位置するように傾斜して配置されてもよい。
【０２０１】
また、伸縮部材９２１，９２２は、互いに平行とならずに、これら伸縮部材９２１，９２２のうち一方が他方に対して傾斜するように配置されていてもよい。例えば、カバー部材９１との係合位置から当接部９２３との係合位置に向かう方向が前側となるように前後方向及び左右方向に対して傾斜した伸縮部材９２１，９２２の配置状態において、伸縮部材９２１，９２２のうち一方の伸縮部材を、各伸縮部材９２１，９２２における当接部９２３側の端部間の間隔が、カバー部材９１側の端部間の間隔より広がるように傾斜させて配置してもよい。この場合、これら伸縮部材９２１，９２２のうち少なくとも一方と当接部９２３との係合部が、当該当接部９２３に沿って前後方向に移動可能であれば、第２位置側への当接部９２３の移動の際に、各当接部９２３が平行移動される場合に比べて、当該各当接部９２３間の間隔が一層広がるように、当該当接部９２３を回動させつつ移動させることができる。
更に、当接部に接続される伸縮部材は、２つに限らず、１つでも３つ以上でもよい。
【０２０２】
上記第１実施形態では、テンプル６Ｌ，６Ｒにおいて、当接部６７Ｌ，６７Ｒがユーザーの頭部に当接されるとした。上記第２〜第４実施形態では、テンプル７〜９において、ユーザーの左右に配置された各当接部７４，８４，９２３が当該ユーザーの頭部に当接されるとした。これら移動可能な当接部６７Ｌ，６７Ｒ，７４，８４，９２３に加えて、画像表示部２のフレーム３（フレーム本体３１又はケース部材３２Ｌ，３２Ｒ）、外側カバー６１Ｌ，６１Ｒ又は内側カバー６２Ｌ，６２Ｒに固定されて、頭部における当接部６７Ｌ，６７Ｒ，７４，８４，９２３の当接部位とは異なる部位に当接する他の当接部を、ＨＭＤが備えていてもよい。このような他の当接部（当接部６７Ｌ，６７Ｒ，７４，８４，９２３を第１当接部とした場合の第２当接部）としては、画像表示部２のフレーム３、外側カバー６１Ｌ，６１Ｒ又は内側カバー６２Ｌ，６２Ｒから延出するアームを例示できる。また、当該他の当接部の当接部位としては、頭部において上記当接部６７Ｌ，６７Ｒ，７４，８４，９２３の当接部位より上側又は下側の部位を例示できる他、上記当接部６７Ｌ，６７Ｒ，７４，８４，９２３の当接部位より後側又は前側の部位を例示できる。このような他の当接部は、当接部６７Ｌ，６７Ｒ，７２６，９２３に応じて左右に設けられていてもよく、フレーム３（フロント部３１１）の略中央に設けられていてもよい。すなわち、当該他の当接部の配置位置は、適宜設定可能である。
【０２０３】
上記各実施形態では、ノーズパッドＮＰは、ユーザーの鼻の大きさや形状に応じて複数用意され、当該ユーザーに適したノーズパッドＮＰが、装着部３１１１に装着されるとした。このようなノーズパッドＮＰの上下方向における位置（高さ位置）及び前後方向における位置（奥行き位置）のうち、少なくともいずれかを調整可能な調整機構を、上記ＨＭＤ１，１Ａ，１Ｂ，１Ｃが備えていてもよい。このような調整機構によれば、ユーザー毎に高さが異なる鼻に応じてノーズパッドＮＰを配置でき、装着感の向上及び疲労感の軽減を図ることができる。
【０２０４】
上記第２〜第４実施形態では、カバー部材７１，８１，９１は、固定部７１４Ｌ，７１４Ｒが側面部３１２Ｌ，３１２Ｒのそれぞれの後端に位置する固定部３１２１に固定されることによって、フレーム３に固定されるとした。このような固定方法に代えて、或いは、加えて、フレーム３に設けられた固定部材にカバー部材７１，８１，９１が固定される固定方法を採用してもよい。このような固定部材として、フロント部３１１に沿うようにフレーム本体３１に取り付けられる固定部材を例示できる。そして、当該固定部材におけるカバー部材７１，８１，９１の固定位置としては、フロント部３１１における略中央の部位に応じた位置とすることができる他、固定部材が左側端部３１１Ｌ及び右側端部３１１Ｒ近傍に到達する程度の寸法（左右方向における寸法）を有している場合には当該固定部材における左右の端部近傍の位置とすることもできる。
また、カバー部材７１，８１，９１は、左側支持部及び右側支持部を一体化した構成を有していなくてもよく、これら左側支持部及び右側支持部は、分離されていてもよい。例えば、カバー部材７１，８１，９１における左右の部位を、右側カバー部材及び左側カバー部材として独立させてもよい。これらのうち、延出部７１２Ｒを有する右側カバー部材を右側支持部として利用でき、延出部７１２Ｌを有する左側カバー部材を左側支持部として利用できる。なお、これら右側カバー部材及び左側カバー部材にフロント部はなくてもよい。
【０２０５】
上記第１実施形態では、付勢部（付勢部６６Ｒ）は、第２リンク６５Ｌ，６５Ｒを付勢し、上記第２及び第３実施形態では、付勢部（付勢部７３４，８３４）は、第１リンク７３１，８３１を付勢するとした。しかしながら、これに限らず、付勢部は、各リンクに設けられていてもよく、１つの付勢部の付勢力が各リンクに作用してもよく、リンクを介して頭部に近接する方向に当接部を付勢する付勢部はなくてもよい。また、上記第１実施形態にて示したテンプル６Ｌ，６Ｒにおいて、付勢部は、第１リンクと係合して付勢する構成としてもよく、上記第２及び第３実施形態にて示したテンプル７，８において、付勢部７３４，８３４は、第２リンク７３２，８３２と係合して付勢する構成としてもよい。更に、左右の当接部のうち、一方の当接部に対してのみ上記付勢力が作用するように、付勢部を設けてもよい。すなわち、付勢部は左右の一方のみに設けられていてもよい。
また、付勢部６６Ｒは、ねじりコイルばねによって構成され、付勢部７３４，８３４は、引張ばね（引張コイルばね）によって構成されるとした。しかしながら、これに限らず、上記付勢力を作用させる付勢部の構成は、他の構成でもよい。
【０２０６】
上記各実施形態では、テンプル６Ｌ，６Ｒ，７，８，９は、減衰機構６８のような減衰機構を有するとした。しかしながら、これに限らず、このような減衰機構はなくてもよい。また、減衰機構が係合する構成は、第１リンク及び第２リンクのいずれでもよく、減衰機構の位置は、上記第１実施形態のように、リンク機構側でもよく、当接部側でもよい。更に、当接部の移動力を減衰させる減衰機構の構成は、上記に限らず他の構成でもよい。例えば、第１リンク及び第２リンクの一方のリンクの回動軸に設けられたギア等の第１噛合部材と、当該第１噛合部材と噛合するギア等の第２噛合部材と、を有し、当該第２噛合部材の回動抵抗が第１噛合部材の回動抵抗より大きいことにより、第１噛合部材、ひいては、当該一方のリンクの回動力を減衰させて、当接部の移動力を減衰させる減衰機構を採用してもよい。
【０２０７】
上記第１実施形態では、テンプル６Ｌ，６Ｒは、フレーム本体３１の側面部３１２Ｌ，３１２Ｒ及びケース部材３２Ｌ，３２Ｒを覆う左側支持部及び右側支持部としての外側カバー６１Ｌ，６１Ｒ及び内側カバー６２Ｌ，６２Ｒを有するとした。また、上記第２〜第４実施形態では、テンプル７，８，９を構成する左側支持部及び右側支持部としてのカバー部材７１，８１，９１は、フレーム本体３１のフロント部３１１の前面部の一部及び側面部３１２Ｌ，３１２Ｒを上方及び側方から覆うとともに、ケース部材３２Ｌ，３２Ｒの上方を覆うとした。すなわち、外側カバー６１Ｌ，６１Ｒ、内側カバー６２Ｌ，６２Ｒ及びカバー部材７１，８１，９１は、ＨＭＤ１，１Ａ，１Ｂ，１Ｃの外装の一部を構成する外装部を有するとした。しかしながら、これに限らず、ＨＭＤにおいて、ユーザーの頭部に当接される当接部を支持する左右の支持部が当該ＨＭＤの外装を構成する部位は、どこでもよい。
【０２０８】
また、このような外側カバー６１Ｌ，６１Ｒ、内側カバー６２Ｌ，６２Ｒ及びカバー部材７１，８１，９１は、なくてもよい。例えば、第１リンク６４Ｌ，６４Ｒ，７３１，８３１、第２リンク６５Ｌ，６５Ｒ，７３２，８３２及び伸縮部材９２１，９２２の少なくともいずれかは、フレーム本体３１やケース部材３２Ｌ，３２Ｒに設けられていてもよい。
一方、ケース部材３２Ｌ，３２Ｒは無くてもよい。この場合、例えば外側カバー６１Ｌ，６１Ｒ及び内側カバー６２Ｌ，６２Ｒ内に上記画像投射部４１が設けられていてもよく、カバー部材７１，８１，９１に当該画像投射部４１が取り付けられていてもよい。
【０２０９】
上記第１実施形態では、当接部６７Ｌ，６７Ｒにおいて、挟持部材６７１から後方に延出してユーザーの頭部に当接される当接片６７４は、挟持部材６７１より細いとした。また、上記第２及び第４実施形態では、当接部７４，９２３において、本体部７４１，９２３１から後方に延出する当接片７４５は、当該本体部７４１，９２３１より細いとした。しかしながら、これに限らず、当接部は、一定の太さを有する構成であってもよい。また、各リンク６４Ｌ，６４Ｒ，７３１，６５Ｌ，６５Ｒ，７３２及び伸縮部材９２１，９２２と接続される本体部が、当接片より細くてもよい。これらのことは、上記第３実施形態にて示した当接部８４においてもいえる。
【０２１０】
上記第２及び第４実施形態では、当接部７４，９２３（当接片７４５）における後端（ユーザーが画像を観察する方向とは反対方向側の部位）を太く形成することによって、上記重心調整部７４６を構成した。しかしながら、これに限らず、このような重心調整部７４６はなくてもよい。また、重心調整部７４６が設けられる場合でも、当該重心調整部７４６の形状、太さ及び重さは適宜変更可能である。例えば、当接片７４５に重量物を配置することによって、当該重量物の配置部位を重心調整部として構成してもよい。この場合、重心調整部の太さは、当接片７４５における他の部位と同じであってもよく、細くてもよい。また、このような重量物としては、ＨＭＤ（頭部装着型画像表示装置）の機能に必要な部品（例えば、電池、センサー、通信モジュール及び制御モジュール）を例示できる他、金属等の比重が大きい物質によって構成された重りであってもよい。例えば、当接片７４５が合成樹脂によって形成されている場合に、当該当接片７４５の一部を金属により形成して、当該一部を重心調整部として用いてもよい。更に、重心調整部の位置は、当接片の後端に限らず、どこでもよい。上記第２及び第４実施形態においては、当接部７４，９２３における前側の位置に、当該当接部７４，９２３において比較的重い本体部７２６１，９２３１が位置し、当該本体部７２６１，９２３１から後方に当接片７４５が延出しているので、当該当接片７４５のいずれの位置に重心調整部が位置していても、前側に偏りがちなＨＭＤの重心位置を後側にずらすことができる。加えて、当接部６７Ｌ，６７Ｒの後端に、上記した重心調整部を設けてもよい。
【０２１１】
上記各実施形態では、左右の当接部は、これら当接部間の左右方向における寸法Ｌ１，Ｌ２が１２８ｍｍ以上、１７０ｍｍ以下である範囲で移動可能に構成されているとした。しかしながら、これに限らず、当該範囲は適宜変更可能である。例えば、寸法Ｌ１，Ｌ２は、１２０ｍｍ以上の範囲であってもよく、１８０ｍｍ以下の範囲であってもよい。
【０２１２】
上記第３実施形態では、接続部８６内に配置される減衰機構６８と第２リンク８３２とは、これらが有する噛合部６８４，８３２３にて噛合することによって係合するとした。しかしながら、これに限らず、上記テンプル７の場合と同様に、減衰機構６８によって第２リンク８３２が支持されてもよい。また、このように互いに噛合する減衰機構及び第２リンクの構成を、テンプル７に採用してもよい。更に、右側テンプル及び左側テンプルのうち、一方のみが、互いに噛合する減衰機構及び第２リンクを有していてもよい。更に、減衰機構が係合するリンクは、第２リンクに限らず、第１リンクであってもよい。例えば、減衰対象リンクと付勢対象リンクとが、同一のリンクであってもよい。
【０２１３】
上記第３実施形態では、当接部８４の本体部８５を構成する接続部８６の上側筐体部８６１が、第２リンク８３２を回動可能に支持する回動支持部としてのボス８６１２と、減衰機構６８を支持するボス８６１３，８６１４と、を有するとした。しかしながら、これに限らず、これらボス８６１２〜８６１４を下側筐体部８６２が有する構成としてもよい。この場合、下側筐体部８６２は、第２リンク８３２の孔部７３２２に挿入されるボス８６２２を有するので、当該ボス８６１３，８６１４に相当するボスを別途設ければよい。
更に、第１リンク８３１、第２リンク８３２及び減衰機構６８を支持する構造を、上側筐体部８６１及び下側筐体部８６２のいずれかが有していればよい。
【０２１４】
上記第３実施形態では、当接部８４が上記第１位置と上記第２位置との間の範囲内に位置する場合に、上記Ｄ７方向と上記Ｄ８方向とが交差するとした。しかしながら、これに限らず、付勢部８３４の付勢力が第１リンク８３１に作用して、当該第１リンク８３１が−Ｄ５方向に回動されて、当接部８４がユーザーの頭部に近接する方向に付勢されればよい。このことは、右側テンプル８２Ｒ及び左側テンプル８２Ｌのいずれにおいても同様である。
【０２１５】
上記第３実施形態では、第１リンク８３１及び第２リンク８３２は、ベース部材８３３及び当接部８４（上側筐体部８６１及び下側筐体部８６２）に軸受ＢＲを介して支持されるとした。しかしながら、これに限らず、軸受ＢＲはなくてもよい。また、当接部８４が、軸受ＢＲを介して第２リンク８３２を支持する構成としてもよい。更に、このような軸受ＢＲは、テンプル６Ｌ，６Ｒ，７の各リンクに適用されてもよい。
【０２１６】
上記第３実施形態では、当接部８４は、本体部８５と、当該本体部８５の少なくとも一部を覆うカバー８８と、を有するとした。しかしながら、これに限らない。このようなカバー８８は無くてもよく、当接部８４全体が覆われるカバーが設けられてもよい。また、このように当接部を覆うカバーを、他のテンプル６Ｌ，６Ｒ，７，９の当接部に採用してもよい。
【０２１７】
上記第３実施形態では、当接部８４の本体部８５は、接続部８６と、可撓性を有するテンプルフレーム８７を有し、当該テンプルフレーム８７を覆うようにカバー８８が装着されるとした。しかしながら、これに限らず、テンプルフレーム８７は、可撓性を有していなくてもよい。また、テンプルフレーム８７に代えて、接続部８６が背面側に延出する構成を採用してもよい。
更に、テンプルフレーム８７は、金属製でなくてもよく、合成樹脂等の他の材料により形成されていてもよい。また、テンプルフレーム８７とカバー８８との間にシール部材ＳＭはなくてもよく、隙間が形成されていてもよい。
【０２１８】
上記第３実施形態では、テンプルフレーム８７は、固定部８７１に対して当該テンプルフレーム８７の延出方向先端側に湾曲部８７３を有するとした。しかしながら、これに限らず、湾曲部８７３はなくてもよい。また、テンプルフレーム８７の撓みの支点とするのであれば、他の形状の支点部を設けてもよい。
【０２１９】
上記第３実施形態では、カバー８８は、テンプルフレーム８７が挿通する挿通口８８１を有するとした。しかしながら、これに限らず、テンプルフレーム８７にカバー８８が確実に係止されるのであれば、テンプルフレーム８７はカバー８８を挿通しなくてもよく、規制部材８９はなくてもよい。
【０２２０】
また、カバー８８は、ユーザーの右側頭部及び左側頭部に沿う形状に形成されて、それぞれ右側テンプル８２Ｒ及び左側テンプル８２Ｌのテンプルフレーム８７に個別に取り付けられるとした。しかしながら、これに限らず、カバー８８の形状は、ユーザーの後頭部や頭頂部に沿う円弧状に形成されていてもよい。例えば、カバーは、左右の当接部８４の一部を覆うとともに、頭頂部に沿うように延出したヘッドバンド様（カチューシャ様）の形状に形成されていてもよい。この場合、当該カバーは、カバー８８のようにユーザーの後方（背面側）に延出する部位を有していてもよい。また例えば、左右のカバー８８に代えて、ユーザーの後頭部に沿う円弧状（略半円形状）のバンド様のカバーを採用してもよい。この場合、当該カバーの一端を右側の当接部８４（例えばテンプルフレーム８７）に取り付け、他端を左側の当接部８４に取り付けてもよい。更に、これらヘッドバンド様のカバー、及び、バンド様のカバーにおいて、それぞれの長さを調整する長さ調整部を設けてもよく、ヘッドバンド様のカバーとバンド様のカバーとを組み合わせたカバーを採用してもよい。
【０２２１】
上記第３実施形態では、規制部材８９が取り付けられる被取付部８７５は、厚さ寸法がテンプルフレーム８７における他の部位より大きいとした。しかしながら、これに限らず、規制部材８９が容易に脱落しなければ、被取付部８７５の厚さ寸法は、適宜変更可能であり、他の部位と同じであってもよい。
更に、被取付部８７５は、延出部８７４の一部を外側（頭部に近接する側とは反対側）に折り返した構成でなくてもよく、上記重心調整部７４６のように、予め太く形成された部位であってもよい。
【０２２２】
上記各実施形態では、当接部６７Ｌ，６７Ｒ、７４，８４，９２３は、それぞれ、上記第１位置から上記第２位置までの間で移動可能とした。これら当接部６７Ｌ，６７Ｒ，７４，８４，９２３は、第１位置から第２位置の間で段階的に移動されるように構成してもよい。また、それぞれの当接部６７Ｌ，６７Ｒ，７４，８４，９２３を、当該第１位置から第２位置の間の所望の位置で係止するロック機構（係止機構）が設けられていてもよい。このようなロック機構としては、例えば、上記リンク機構を構成する一対のリンクのうち、少なくとも一方のリンクの回動可能範囲内に当該リンクの回動方向に沿って少なくとも１つの凸部を設け、当該リンクに凹部を形成し、当該凸部が凹部に嵌まり込むことによって係止される機構としてもよい。或いは、当該ロック機構は、少なくとも一方のリンクの回動可能範囲内に当該リンクの回動方向に沿って少なくとも１つの凹部を設け、当該リンクに凸部を形成し、当該凸部が凹部に嵌まり込むことによって係止される機構としてもよい。このロック機構において、凸部及び凹部を有する構成は逆でもよい。また、当該ロック機構としては、伸縮部材の伸縮が段階的に行われる機構としてもよい。
【０２２３】
上記各実施形態では、当接部６７Ｌ，６７Ｒ、７４，８４，９２３は、眼鏡のテンプルのように剛性を有する構成とした。これら当接部６７Ｌ，６７Ｒ、７４，８４，９２３に代えて、ユーザーの頭部に沿って変形可能な当接部を採用してもよい。このような当接部として、弾性変形可能な当接部や、フレキシブルアームのような柔軟性を有する当接部、及び、少なくとも一部が屈曲可能な当接部を例示できる。
【０２２４】
上記各実施形態では、ＨＭＤ１，１Ａ，１Ｂ，１Ｃは、フレーム本体３１と組み合わされて内部に画像投射部４１を収容するケース部材３２Ｒは、内部ケースとしての基板ホルダー３２２と、外部ケースをそれぞれ構成する上部ケース３２１及び下部ケース３２３と、を有するとした。しかしながら、これに限らず、例えば、ケース部材は一体化されていてもよく、基板ホルダー３２２は無くてもよい。また、これら各部材の構成も、上記に限らず、適宜変更可能である。ケース部材３２Ｌにおいても同様である。
【０２２５】
上記各実施形態では、画像情報に応じた画像光を投射する画像投射部４１は、ケース部材３２Ｌ，３２Ｒ及び側面部３１２Ｌ，３１２Ｒによって形成される収容空間内に位置するとした。しかしながら、これに限らず、例えば、ケース部材３２Ｌ，３２Ｒの外部から光ファイバー等によって導光された画像光を、投射光学装置４３が導光部材４７Ｌ，４７Ｒに投射する構成としてもよい。
【０２２６】
上記各実施形態では、画像表示部２は、それぞれ画像投射部４１から投射された画像光をユーザーの左右の眼に導く導光部材４７Ｒ，４７Ｌを採用した。しかしながら、これに限らず、画像光をユーザーの眼に入射させる構成は、当該ユーザーの眼前に配置される液晶パネルや有機ＥＬパネル等の表示パネルであってもよい。すなわち、クローズド型のＨＭＤに、本発明を適用することも可能であり、ユーザーによって視認可能に画像を表示できれば、当該画像の表示形式は問わない。導光部材４７Ｒ，４７Ｌに代えて、画像投射部４１によって投射された画像をユーザーの眼に反射させる反射部材を採用してもよく、ホログラム素子や、回折格子といった半透過反射面を有する構成や、瞳分割型のように全反射ミラーを用いる構成を採用してもよい。
また、上記収容空間内に収容される部材は、画像投射部４１及び制御部４６でなくてもよく、これらのうち一方のみでもよい。更に、例えば、画像表示部２の動作に必要な制御回路や電源等、他の部材が当該収容空間内に配置されていてもよい。
【０２２７】
上記各実施形態では、ＨＭＤ１，１Ａ，１Ｂ，１Ｃは、ユーザーの左右の眼に応じて配置される導光部材４７Ｒ，４７Ｌを備えるとした。しかしながら、これに限らず、１つの導光部材が、各画像投射部４１から入射される画像光を、当該左右の眼に導く構成としてもよい。更に、光学装置４Ｒ，４Ｌのうち一方のみを備える構成としてもよい。
【０２２８】
上記各実施形態では、撮像装置５は、フレーム本体３１における右側端部３１１Ｒに１つ設けられているとした。しかしながら、これに限らず、撮像装置５の位置及び数は、適宜変更可能である。例えば、撮像装置５は、左側端部３１１Ｌに設けられていてもよく、左側端部３１１Ｌ及び右側端部３１１Ｒのそれぞれに設けられていてもよい。更に、撮像装置５は、右側端部３１１Ｒ及び左側端部３１１Ｌとは異なる位置、例えば、フレーム本体３１の中央や、側面部３１２Ｒ，３１２Ｌ、或いは、ケース部材３２Ｒ，３２Ｌに設けられていてもよい。
【０２２９】
上記各実施形態では、光学装置４Ｌ，４Ｒを構成する制御部４６は、画像投射部４１の動作（例えば、画像形成装置４２による画像形成）を制御するとした。しかしながら、これに限らない。例えば、制御部４６が、外部から供給される電力を用いてフレーム３に保持されたバッテリーの充電を制御してもよく、他のＨＭＤ等の画像表示装置や、画像供給装置等の電子機器との通信を制御してもよい。すなわち、制御部４６により実行される処理は、上記に限らず他の処理でもよい。この場合、画像形成装置４２の動作を制御する制御装置が、別の場所（例えば、ケーブルＣＢ等を介して有線で接続される外部機器や、無線で接続される外部機器）に位置していてもよい。
更に、制御部４６は、プリント基板に限らず、フレキシブルプリント基板であってもよく、演算処理回路等の回路素子を有する制御ユニットであってもよい。すなわち、所定の制御を実行するものであれば、制御部４６の構成は問わない。
【０２３０】
上記各実施形態では、テンプル６Ｌ，６Ｒ，７，８，９がＨＭＤ１，１Ａ，１Ｂ，１Ｃに用いられた例を挙げた。しかしながら、これらテンプル６Ｌ，６Ｒ，７，８，９が採用される構成はＨＭＤに限らず、ユーザーの頭部に装着されるものであれば、当該テンプル６Ｌ，６Ｒ，７，８，９及び上記したテンプルの変形を採用可能である。このようなものとして、眼鏡様のフレームにカメラが取り付けられたウェアラブルカメラを例示できる。
【符号の説明】
【０２３１】
１，１Ａ，１Ｂ，１Ｃ…ＨＭＤ（頭部装着型画像表示装置）、２…画像表示部、３…フレーム、３１…フレーム本体、３１１…フロント部、４Ｌ，４Ｒ…光学装置、５…撮像装置、６１Ｌ…外側カバー（左側支持部）、６１Ｒ…外側カバー（右側支持部）、６１Ａ…上面部（外装部）、６１Ｂ…底面部（外装部）、６１Ｃ…前面部（外装部）、６１Ｄ…側面部（外装部）、６１Ｅ…背面部（外装部）、６２Ｌ…内側カバー（左側支持部）、６２Ｒ…内側カバー（右側支持部）、６２Ｃ…側面部（外装部）、６４Ｌ，６４Ｒ…第１リンク、６５Ｌ，６５Ｒ…第２リンク、６６Ｒ…付勢部、６７Ｌ…当接部（左側当接部）、６７Ｒ…当接部（右側当接部）、６７４…当接片、６８…減衰機構、６８４…噛合部、７１…カバー部材（左側支持部、右側支持部）、７１１…フロント部（外装部）、７１２Ｌ，７１２Ｒ…延出部（外装部）、７１３Ｌ，７１３Ｒ…側面部（外装部）、７３１…第１リンク、７３１１…孔部（第１リンク側第１回動部）、７３１２…孔部（第１リンク側第２回動部）、７３２…第２リンク、７３２１…孔部（第２リンク側第１回動部）、７３２２…孔部（第２リンク側第２回動部）、７３４…付勢部、７４…当接部（左側当接部、右側当接部）、７４６…重心調整部、８１…カバー部材（左側支持部、右側支持部）、８３１…第１リンク（付勢対象リンク）、８３１３…取付部、８３１４…取付孔（取付位置）、８３２…第２リンク（減衰対象リンク）、８３２３…噛合部、８３４…付勢部、８４…当接部、８５…本体部、８６…接続部、８６１…上側筐体部（一対の筐体部）、８６１２…ボス（回動支持部）、８６１３，８６１４…ボス（減衰機構支持部）、８６２…下側筐体部（一対の筐体部）、８７…テンプルフレーム（フレーム部）、８７３…湾曲部、８７５…被取付部、８８…カバー、８８１…挿通口、８９…規制部材、９１…カバー部材（左側支持部、右側支持部）、９２３…当接部（左側当接部、右側当接部）、ＡＸ１，ＡＸ３，ＡＸ５…回動軸（第１回動軸）、ＡＸ２，ＡＸ４，ＡＸ６…回動軸（第２回動軸）、ＢＲ…軸受、Ｄ７…方向（第１方向）、Ｄ８…方向（第２方向）、ＨＥ…頭部、Ｌ１，Ｌ２…寸法（左右方向における寸法）、ＮＰ…ノーズパッド、ＳＭ…シール部材、ＵＳ…ユーザー。
【図１】
2018033120.tif 000003
【図２】
2018033120.tif 000004
【図３】
2018033120.tif 000005
【図４】
2018033120.tif 000006
【図５】
2018033120.tif 000007
【図６】
2018033120.tif 000008
【図７】
2018033120.tif 000009
【図８】
2018033120.tif 000010
【図９】
2018033120.tif 000011
【図１０】
2018033120.tif 000012
【図１１】
2018033120.tif 000013
【図１２】
2018033120.tif 000014
【図１３】
2018033120.tif 000015
【図１４】
2018033120.tif 000016
【図１５】
2018033120.tif 000017
【図１６】
2018033120.tif 000018
【図１７】
2018033120.tif 000019
【図１８】
2018033120.tif 000020
【図１９】
2018033120.tif 000021
【図２０】
2018033120.tif 000022
【図２１】
2018033120.tif 000023
【図２２】
2018033120.tif 000024
【図２３】
2018033120.tif 000025
【図２４】
2018033120.tif 000026
【図２５】
2018033120.tif 000027
【図２６】
2018033120.tif 000028
【図２７】
2018033120.tif 000029
【図２８】
2018033120.tif 000030
【図２９】
2018033120.tif 000031
【図３０】
2018033120.tif 000032
【図３１】
2018033120.tif 000033
【図３２】
2018033120.tif 000034
【図３３】
2018033120.tif 000035
【図３４】
2018033120.tif 000036
【図３５】
2018033120.tif 000037
【図３６】
2018033120.tif 000038
【図３７】
2018033120.tif 000039
【図３８】
2018033120.tif 000040
【図３９】
2018033120.tif 000041
【図４０】
2018033120.tif 000042
【図４１】
2018033120.tif 000043
【図４２】
2018033120.tif 000044
【図４３】
2018033120.tif 000045
【図４４】
2018033120.tif 000046
【図４５】
2018033120.tif 000047